(57)【要約】  本発明は無線通信システムのリソース管理方法及び装置を提供する。本発明は無線通信システムの構成要素が持つリソースの一部又は全体に対する使用を許容したり制限する方法及び装置に関する。ラジオアクセスポイントのリソース管理方法において、端末から測定報告を受信する段階と、前記測定報告とハンドオーバー制限リスト(ＨＲＬ) に基づいて前記ラジオアクセスポイントと協力して前記端末にサービスを提供する別のラジオアクセスポイントを選択する段階と、及び前記選択された別のラジオアクセスポイントに前記端末にサービスを提供するリクエストメッセージを送信する段階を含むことを特徴とする。
2016509431.tif 000002
【特許請求の範囲】
【請求項１】
ラジオアクセスポイントのリソース管理方法において、
端末から測定報告を受信する段階と、
前記測定報告とハンドオーバー制限リスト(ＨＲＬ) に基づいて前記ラジオアクセスポイントと協力して前記端末にサービスを提供する別のラジオアクセスポイントを選択する段階と、及び
前記選択された別のラジオアクセスポイントに前記端末にサービスを提供するリクエストを送信する段階を含むことを特徴とするリソース管理方法。
【請求項２】
前記ＨＲＬは、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１に記載のリソース管理方法。
【請求項３】
前記別のラジオアクセスポイントを選択する段階は、前記別のラジオアクセスポイントが前記ＨＲＬによってリソース制限されたのか、前記別のラジオアクセスポイントが前記ＨＲＬによってリソース許容されたのか、前記別のラジオアクセスポイントが加入者プロフィール識別子(Ｓｕｂｓｃｒｉｂｅｒ Ｐｒｏｆｉｌｅ Ｉｄｅｎｔｉｔｙ、ＳＰＩＤ)によってリソース許容されたのか、前記別のラジオアクセスポイントがＰｒｉｍａｒｙラジオアクセスポイントと同じ特性を持つのか、のうちのいずれか１つ以上に基づいて選択することを特徴とする、請求項１に記載のリソース管理方法。
【請求項４】
前記リクエストは、前記ＨＲＬと、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１に記載のリソース管理方法。
【請求項５】
前記リクエストに対する応答を前記別のラジオアクセスポイントから受信する段階をさらに含み、
前記応答は前記別のラジオアクセスポイントが前記ＨＲＬによってリソース制限されたのかによって受諾(ａｃｃｅｐｔ)メッセージ及び拒否(ｒｅｊｅｃｔ)メッセージのうちの１つなのを特徴とする、請求項１に記載のリソース管理方法。
【請求項６】
前記ＨＲＬは端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ)で用いられるリソースのうちの少なくとも１つを制限するための情報を含むことを特徴とする、請求項１に記載のリソース管理方法。
【請求項７】
ラジオアクセスポイントのリソース管理方法において、
現在端末にサービスを提供する別のラジオアクセスポイントからリクエストを受信する段階と、
ハンドオーバー制限リスト(ＨＲＬ) に基づいて前記別のラジオアクセスポイントと協力して前記端末にサービスを提供するかを判断する段階と、
判断の結果に基づいて応答を前記別のラジオアクセスポイントに送信する段階を含むことを特徴とするリソース管理方法。
【請求項８】
前記ＨＲＬは、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項７に記載のリソース管理方法。
【請求項９】
前記リクエストは、前記ＨＲＬと、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項７に記載のリソース管理方法。
【請求項１０】
前記端末にサービスを提供するか判断する段階は、前記別のラジオアクセスポイントが前記ＨＲＬによってリソース制限されたのか、前記別のラジオアクセスポイントが前記ＨＲＬによってリソース許容されたのか、前記別のラジオアクセスポイントが加入者プロフィール識別子(Ｓｕｂｓｃｒｉｂｅｒ Ｐｒｏｆｉｌｅ Ｉｄｅｎｔｉｔｙ、ＳＰＩＤ)によってリソース許容されたのか、前記別のラジオアクセスポイントがＰｒｉｍａｒｙラジオアクセスポイントと同じ特性を持つのか、のうちのいずれか１つ以上に基づいて判断することを特徴とする、請求項７に記載のリソース管理方法。
【請求項１１】
前記応答が受諾(ａｃｃｅｐｔ)メッセージの場合、前記端末と接続する段階をさらに含むことを特徴とする、請求項７に記載のリソース管理方法。
【請求項１２】
前記応答は、拒否(ｒｅｊｅｃｔ)メッセージの場合、拒否の理由についての情報を含むことを特徴とする、請求項７に記載のリソース管理方法。
【請求項１３】
リソースを管理するラジオアクセスポイントにおいて、
データを送受信する通信部及び、
端末から測定報告を受信し、前記測定報告とハンドオーバー制限リスト(ＨＲＬ) に基づいて前記ラジオアクセスポイントと協力して前記端末にサービスを提供する別のラジオアクセスポイントを選択し、前記選択された別のラジオアクセスポイントに前記端末にサービスを提供するリクエストを送信するように制御する制御部を含むことを特徴とするラジオアクセスポイント。
【請求項１４】
前記ＨＲＬは、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１３に記載のラジオアクセスポイント。
【請求項１５】
前記制御部は、前記別のラジオアクセスポイントが前記ＨＲＬによってリソース制限されたのか、前記別のラジオアクセスポイントが前記ＨＲＬによってリソース許容されたのか、前記別のラジオアクセスポイントが加入者プロフィール識別子(Ｓｕｂｓｃｒｉｂｅｒ Ｐｒｏｆｉｌｅ Ｉｄｅｎｔｉｔｙ、ＳＰＩＤ)によってリソース許容されたのか、前記別のラジオアクセスポイントがＰｒｉｍａｒｙラジオアクセスポイントと同じ特性を持つのか、のうちのいずれか１つ以上に基づいて前記別のラジオアクセスポイントを選択するように制御することを特徴とする、請求項１３に記載のラジオアクセスポイント。
【請求項１６】
前記リクエストは、前記ＨＲＬと、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１３に記載のラジオアクセスポイント。
【請求項１７】
前記通信部は、前記リクエストに対する応答を前記別のラジオアクセスポイントから受信し、
前記応答は前記別のラジオアクセスポイントが前記ＨＲＬによってリソース制限されたのかによって受諾(ａｃｃｅｐｔ)メッセージ及び拒否(ｒｅｊｅｃｔ)メッセージのうちの１つなのを特徴とする、請求項１３に記載のラジオアクセスポイント。
【請求項１８】
前記ＨＲＬは端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ)で用いられるリソースのうちの少なくとも１つを制限するための情報を含むことを特徴とする、請求項１３に記載のラジオアクセスポイント。
【請求項１９】
リソースを管理するラジオアクセスポイントにおいて、
データを送受信する通信部及び、
現在端末にサービスを提供する別のラジオアクセスポイントからリクエストを受信し、ハンドオーバー制限リスト(ＨＲＬ) に基づいて前記別のラジオアクセスポイントと協力して前記端末にサービスを提供するかを判断し、判断の結果に基づいて応答を前記別のラジオアクセスポイントに送信するように制御する制御部を含むことを特徴とするラジオアクセスポイント。
【請求項２０】
前記ＨＲＬは、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１９に記載のラジオアクセスポイント。
【請求項２１】
前記リクエストは、前記ＨＲＬと、サービングＰＬＭＮ(ｐｕｂｌｉｃ ｌａｎｄ ｍｏｂｉｌｅ ｎｅｔｗｏｒｋ)識別子と、同等な(ｅｑｕｉｖａｌｅｎｔ)ＰＬＭＮ識別子と、トラッキング地域(Ｔｒａｃｋｉｎｇ Ａｒｅａ、ＴＡ)コードと、ＴＡ識別子と、移動性管理要素(Ｍｏｂｉｌｉｔｙ Ｍａｎａｇｅｍｅｎｔ Ｅｎｔｉｔｙ、ＭＭＥ)コードと、ＭＭＥグループ識別子と、物理的セル識別子(Ｐｈｙｓｉｃａｌ Ｃｅｌｌ Ｉｄｅｎｔｉｔｙ、ＰＣＩ)のうちのいずれか１つ以上を含むことを特徴とする、請求項１９に記載のラジオアクセスポイント。
【請求項２２】
前記制御部は、前記別のラジオアクセスポイントが前記ＨＲＬによってリソース制限されたのか、前記別のラジオアクセスポイントが前記ＨＲＬによってリソース許容されたのか、前記別のラジオアクセスポイントが加入者プロフィール識別子(Ｓｕｂｓｃｒｉｂｅｒ Ｐｒｏｆｉｌｅ Ｉｄｅｎｔｉｔｙ、ＳＰＩＤ)によってリソース許容されたのか、前記別のラジオアクセスポイントがＰｒｉｍａｒｙラジオアクセスポイントと同じ特性を持つのか、のうちのいずれか１つ以上に基づいて前記端末にサービスを提供するか判断するように制御することを特徴とする、請求項１９に記載のラジオアクセスポイント。
【請求項２３】
前記制御部は、前記応答が受諾(ａｃｃｅｐｔ)メッセージの場合、前記端末と接続するように制御することを特徴とする、請求項１９に記載のラジオアクセスポイント。
【請求項２４】
前記応答は、拒否(ｒｅｊｅｃｔ)メッセージの場合、拒否の理由についての情報を含むことを特徴とする、請求項１９に記載のラジオアクセスポイント。
【発明の詳細な説明】
【技術分野】
【０００１】
本発明は、無線通信システムのリソース管理方法及び装置に関する。より具体的に、本発明は無線通信システムの構成要素が持つリソースの一部、若しくは全体に対する使用を許容したり制限する方法及び装置に関する。
【背景技術】
【０００２】
初期の無線通信システムはユーザの活動性を保障すると共に音声サービスを提供するために開発された。さらに、無線通信システムは次第に音声だけではなくデータサービスまで領域を確張しつつあり、現在には高速のデータサービスを提供することができる程度まで発展した。
【０００３】
図１は、一般的な無線通信システムを示した図面である。図１を参照すれば、無線通信システムは端末１００、ＲＡＮ(１３０、Ｒａｄｉｏ Ａｃｃｅｓｓ Ｎｅｔｗｏｒｋ)、コア網(１４０、ｃｏｒｅ ｎｅｔｗｏｒｋ)、及びその外の要素に分けることができる。ＲＡＮ１３０は、さらに幾つかの構成要素に分けられることができ、端末１００と相互作用するＲＡＮの構成要素１２０は端末１００と無線インターフェース１１０を用い、無線通信システムの残りの要素は主に有線で接続されている。端末１００と無線インターフェース１１０を介して相互作用するＲＡＮ構成要素１２０の例示としては、進化されたノードＢ(ｅｖｏｌｖｅｄ Ｎｏｄｅ  Ｂ、ｅＮＢ)、ノードＢ(Ｎｏｄｅ  Ｂ、ＮＢ)、又はこれを含む無線網の下位組職(Ｒａｄｉｏ Ｎｅｔｗｏｒｋ Ｓｕｂｓｙｓｔｅｍ、ＲＮＳ)、基地局(Ｂａｓｅ Ｔｒａｎｓｃｅｉｖｅｒ Ｓｔａｔｉｏｎ、ＢＴＳ)、又はこれを含む基地局の下位組職(Ｂａｓｅ Ｓｔａｔｉｏｎ Ｓｕｂｓｙｓｔｅｍ、ＢＳＳ)、無線アクセスポイント(ｗｉｒｅｌｅｓｓ ａｃｃｅｓｓ ｐｏｉｎｔ)、ホームｅＮＢ、ホームＮＢ、ホームｅＮＢゲートウェイ(ＧａｔｅＷａｙ、ＧＷ)、Ｘ２ＧＷなどがある。本明細書では便宜のためにこれら又はＲＡＮその自体をラジオアクセスポイント(１２０、ｒａｄｉｏ ａｃｃｅｓｓ ｐｏｉｎｔ)と称する。
【０００４】
幾つかの例外を除いては、ラジオアクセスポイント１２０は一般的に１以上のセルで構成されており、セルは特定範囲を有し、端末１００はセルの範囲内でサービスを受ける。ここで、セルは一般的なセルラー(ｃｅｌｌｕｌａｒ)システムのセルを意味し、ラジオアクセスポイント１２０は前記セルを管理、制御する装置であるが本明細書では便宜のためにセルとラジオアクセスポイント１２０を同じ意味で用いることができる。
【０００５】
一般的に、無線通信システムでリソースは制限的であるから、リソースを効率的に用いるように管理することは無線通信システムにおいて最も注目を浴びる主題中の１つである。従来技術では幾つかの例外状況を除いては端末に対する情報は前記端末と接続する１つのラジオアクセスポイント１２０にだけあったり前記ラジオアクセスポイント１２０だけを通すことができる(前記例外の状況の例示は、ハンドオーバー直後の状況がある。１つの端末がラジオアクセスポイントＡからラジオアクセスポイントＢにハンドオーバーされた後にも一定期間の間の前記ラジオアクセスポイントＡは前記端末に対する情報を持つことができる)。したがって、従来技術におけるリソース管理は端末の移動性管理を介して行われることができる。すなわち、リソース管理と移動性管理を別に区分して考慮する必要がない。
【０００６】
端末が接続された(ｃｏｎｎｅｃｔｅｄ)状態で入るとき、若しくは端末が接続された状態であるときは、位置登録(Ｌｏｃａｔｉｏｎ Ｒｅｇｉｓｔｒａｔｉｏｎ)過程を介して、又はハンドオーバー受諾に対する決定を介して移動性管理ができる。端末がアイドル(ｉｄｌｅ)状態であるときは端末が主導して移動性管理ができる。
【０００７】
端末が、移動性が受諾されたラジオアクセスポイントで位置登録過程を試みると(他の側面で問題がなければ)前記位置登録過程を成功的に進行し、コア網はラジオアクセスポイントに移動性管理情報を送信することができる。この情報に基づいて今後のラジオアクセスポイントはハンドオーバーに対する決定をすることができ、一部ハンドオーバーの際にはソースラジオアクセスポイントはターゲットラジオアクセスポイントに移動性制限情報を送信することができる。移動性管理情報の例としてはハンドオーバー制限情報(Ｈａｎｄｏｖｅｒ Ｒｅｓｔｒｉｃｔｉｏｎ Ｌｉｓｔ、ＨＲＬ)が挙げられる。
【０００８】
端末が、移動性が受諾されないラジオアクセスポイントで位置登録過程を試みると、前記過程は拒否される。このように移動性が受諾されない原因により拒否された場合に、端末へ伝達する拒否を通知するメッセージには移動性が受諾されない原因(ｃａｕｓｅ)が含まれることができる。この原因に基づいて端末は管理している移動性管理情報を修正、生成、又は削除することができる。前記移動性管理情報に基づいて端末はアイドル状態における移動性管理ができる。
【０００９】
従来の移動性管理を通じるリソース管理方式を用いると(１つの端末に対する情報は前記端末と接続を結ぶ１つのラジオアクセスポイントにだけあったり、前記ラジオアクセスポイントだけを通すことができる従来の場合に)、特定ラジオアクセスポイントは特定端末に対する情報が提供されないようにできる。
【００１０】
前記移動性管理を通じるリソース管理方式が有用に用いる例を挙げる。小型ラジオアクセスポイントは、大型ラジオアクセスポイントより多様な種類があり得、このように多様になった小型ラジオアクセスポイントを一々に確認する(ｖｅｒｉｆｙ)ことに困難がある。確認されない小型ラジオアクセスポイントは、保安及び安全性を完全に検証されることができなかった状態と認められ、前記未確認された小型ラジオアクセスポイントには特定情報を別に設定して一括的にリソース管理ができる。例えば、確認されない小型ラジオアクセスポイントには政府関係者の端末に制限された位置情報を指定して前記政府関係者の端末が前記未確認された小型ラジオアクセスポイントと相互作用することができないようにできる。
【００１１】
一方、段々要求される端末の送受信データ量が増加することによってリソース使用方式もその要求を満たすように変化を重ねている。さらに、近年リソース使用方式に大きい変化が生じている。従来に一つの端末は、一つのラジオアクセスポイントと相互作用することが一般的であるが、１つの端末が２つ以上のラジオアクセスポイントと相互作用ができるようになったことがその変化である。前記変化ができるためにはラジオアクセスポイント水準の協力(ｃｏｏｐｅｒａｔｉｏｎ)が必要であることがある。
【００１２】
これに対する例示としては、３世代の同業者プロジェクト(３ｒｄ Ｇｅｎｅｒａｔｉｏｎ Ｐａｒｔｎｅｒｓｈｉｐ Ｐｒｏｊｅｃｔ、３ＧＰＰ)ではｅＮＢの間のキャリアアグリゲーション(ｉｎｔｅｒ-ｅＮＢ ｃａｒｒｉｅｒ ａｇｇｒｅｇａｔｉｏｎ)及びｅＮＢの間の組職化された多くのポイント送受信(ｉｎｔｅｒ-ｅＮＢ Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ、ＣｏＭＰ)を実現するのに必要な内容を標準化するアイテムを１２次発売開始(Ｒｅｌｅａｓｅ １２)の正式アイテムで扱う予定である。以後に本格的に進行される１２次発売開始標準化を介して前記２つの技術(ｅＮＢの間のキャリアアグリゲーション、ｅＮＢの間のＣｏＭＰ)が標準化されることで予想される。
【００１３】
より詳しくは、先ずｅＮＢの間のキャリアアグリゲーションは１つの端末が一般的に他の周波数領域を有するキャリアを用いる２以上のｅＮＢと相互作用することができるようにする技術である。ｅＮＢの間のキャリアアグリゲーションでは、端末に主にサービスを提供するセル(Ｐｒｉｍａｒｙ Ｃｅｌｌ、ＰＣｅｌｌ)を含むｅＮＢ(Ｍａｓｔｅｒ ｅＮＢ、ＭｅＮＢ)があり、前記端末に補助的にサービスを提供するセル(Ｓｅｃｏｎｄａｒｙ Ｃｅｌｌ、ＳＣｅｌｌ)を含むｅＮＢ(Ｓｅｃｏｎｄａｒｙ ｅＮＢ、ＳｅＮＢ)が１以上あり得る。前記ＳＣｅｌｌを含むｅＮＢも前記ＰＣｅｌｌを含むｅＮＢと共に前記端末と相互作用をしているから、前記ＳＣｅｌｌは前記端末に対する情報を持ったり、前記端末に対する情報が前記ＳＣｅｌｌを通すことができる。eＮＢの間のキャリアアグリゲーションでは一般的に他の周波数領域を有するキャリアを用いる２以上のｅＮＢと端末が相互作用することができるが、重ねる周波数領域を有するキャリアを用いる２以上のｅＮＢと端末が相互作用することができるようにすることもできる。
【００１４】
一方、ｅＮＢの間のＣｏＭＰは一般的に重ねる周波数領域を有するキャリアを用いる２以上のｅＮＢが重ねる周波数領域を用いることによって生ずるｅＮＢの間の干渉を減らすため、組職化して端末と相互作用することができるようにする技術である。ｅＥＮＢの間のキャリアアグリゲーションと同様にｅＮＢの間ＣｏＭＰでも、多くのｅＮＢが１つの端末とデータを取り交わすこともできるから、一つの端末に対する情報が多くのｅＮＢにあったり、或は前記端末に対する情報が多くのｅＮＢを通すことができる。
【００１５】
要約すると、ｅＮＢの間のキャリアアグリゲーションとｅＮＢの間のＣｏＭＰは互いに差があるが、一つの端末に対する情報が多くのｅＮＢにあったり、前記端末に対する情報が多くのｅＮＢを通すことができるという共通点がある。
【００１６】
このように、リソース使用方式に変化が生ずることによって、リソース管理方式にも変化が生じなければならない必要性があり得ることを予想することができる。よって、本明細書では新しいリソース管理に関する内容を記述しようとする。
【発明の概要】
【発明が解決しようとする課題】
【００１７】
前述したように、リソース使用方式が変わることによって、１つの端末に対する情報が２つ以上のラジオアクセスポイントにあったり、前記端末に対する情報が２つ以上のラジオアクセスポイントを通すようになる場合が生ずることができる。しかし、従来のリソース管理方式は一ラジオアクセスポイントとの相互作用のみを考慮して移動性管理を介して行われるから２つ以上のラジオアクセスポイントと相互作用することができる端末に適当な新しいリソース管理方式が必要である。
【００１８】
付加して説明すると、従来の移動性管理を通じるリソース管理方式は、一つの端末が一ラジオアクセスポイントと相互作用するときに効率的であることがある。１つの端末が２つ以上のラジオアクセスポイントと相互作用すれば、主に(ｐｒｉｍａｒｉｌｙ)相互作用するラジオアクセスポイントに対するリソース管理は、移動性管理をすることによって管理することができるが、副次的に(ｓｅｃｏｎｄａｒｉｌｙ)相互作用するラジオアクセスポイントに対するリソース管理は移動性管理だけでは管理することができない。
【００１９】
また、従来の移動性管理を通じるリソース管理方式は、主にラジオアクセスポイントのリソース、すなわち、無線リソースを管理するのに限定されているという問題点がある。無線通信システムの構成要素が徐徐に多様化されることができることによって、ラジオアクセスポイントだけではなくその外の構成要素のリソースを管理することも必要である。
【００２０】
本発明は、前記のような問題点を解決するために提案されたもので、加入者情報を持っているサーバー、端末、ラジオアクセスポイント及びＲＡＮの制御要素(ＲＡＮ ｃｏｎｔｒｏｌ ｅｎｔｉｔｙ)のうちの１つ或は２つ以上が参加して端末が１つ以上のラジオアクセスポイントと相互作用するときに無線リソース、若しくはその外の無線通信システムのリソースを管理する方法及び装置を提案する。前記ＲＡＮの制御要素の例では、移動性管理要素(Ｍｏｂｉｌｉｔｙ Ｍａｎａｇｅｍｅｎｔ Ｅｎｔｉｔｙ、ＭＭＥ)及びサービング一般パケットラジオサービス(Ｇｅｎｅｒａｌ Ｐａｃｋｅｔ Ｒａｄｉｏ Ｓｅｒｖｉｃｅ、ＧＰＲＳ)サポート要素(Ｓｅｒｖｉｎｇ ＧＰＲＳ Ｓｕｐｐｏｒｔ Ｎｏｄｅ、ＳＧＳＮ)が挙げられる。
【課題を解決するための手段】
【００２１】
本発明の１つ以上の実施形態によるラジオアクセスポイントのリソース管理方法は、 端末から測定報告を受信する段階と、前記測定報告とハンドオーバー制限リスト(ＨＲＬ) に基づいて前記ラジオアクセスポイントと協力して前記端末にサービスを提供する別のラジオアクセスポイントを選択する段階と、及び前記選択された別のラジオアクセスポイントに前記端末にサービスを提供するリクエストを送信する段階と、のうちのいずれか１つ以上の段階を含むことができる。
【００２２】
前記1つ以上の実施形態によるラジオアクセスポイントのリソース管理方法は、現在端末にサービスを提供する別のラジオアクセスポイントからリクエストを受信する段階と、ハンドオーバー制限リスト(ＨＲＬ) に基づいて前記別のラジオアクセスポイントと協力して前記端末にサービスを提供するかを判断する段階と、判断の結果に基づいて応答を前記別のラジオアクセスポイントに送信する段階と、のうちのいずれか１つ以上の段階を含むことができる。
【００２３】
前記1つ以上の実施形態によるリソースを管理するラジオアクセスポイントは、データを送受信する通信部及び、端末から測定報告を受信し、前記測定報告とハンドオーバー制限リスト(ＨＲＬ) に基づいて前記ラジオアクセスポイントと協力して前記端末にサービスを提供する別のラジオアクセスポイントを選択し、前記選択された別のラジオアクセスポイントに前記端末にサービスを提供するリクエストを送信するように制御する制御部と、のうちのいずれか１つ以上を含むことができる。
【００２４】
前記1つ以上の実施形態によるリソースを管理するラジオアクセスポイントは、データを送受信する通信部及び、現在端末にサービスを提供する別のラジオアクセスポイントからリクエストを受信し、ハンドオーバー制限リスト(ＨＲＬ) に基づいて前記別のラジオアクセスポイントと協力して前記端末にサービスを提供するかを判断し、判断の結果に基づいて応答を前記別のラジオアクセスポイントに送信するように制御する制御部と、のうちのいずれか１つ以上 を含むことができる。
【００２５】
前記1つ以上の実施形態による無線通信システムを成る端末がリソースを管理する方法は、ラジオアクセスポイントからリソース管理情報を受信する段階と、前記リソース管理情報を記憶する段階と、記憶したリソース管理情報に基づいてリソース使用を制御する制御段階と、及び前記リソース管理情報又は前記リソース管理情報を加工した情報をラジオアクセスポイントに送信する段階のうちのいずれか１つ以上の段階を含むことができる。  
【００２６】
前記1つ以上の実施形態によるリソースを管理する端末は、ラジオアクセスポイントからリソース管理情報を受信することができ、前記リソース管理情報又は前記リソース管理情報を加工した情報をラジオアクセスポイントに送信することができる通信部と、前記受信したリソース管理情報を記憶する記憶部と、記憶した情報に基づいてリソース使用を制御する制御部と、及び受信したリソース管理情報を加工することができるプロセッサのうちのいずれか１つ以上を含むことができる。
【００２７】
前記1つ以上の実施形態による無線リソース管理方法は、ＲＡＮ制御要素の無線リソース管理方法で、前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を生成する段階及び前記リソース制限情報をラジオアクセスポイントに送信する段階を含むことを特徴とする。
【００２８】
前記1つ以上の実施形態による無線リソース管理方法は、ラジオアクセスポイントの無線リソース管理方法で、ＲＡＮ制御要素から前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信する段階及び前記リソース制限情報を基づいて端末に対するリソース管理を行う段階を含むことを特徴とする。
【００２９】
前記1つ以上の実施形態による無線リソース管理方法は、端末の無線リソース管理方法で、ラジオアクセスポイントから前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信する段階及び前記リソース制限情報に基づいてリソース管理を行う段階を含むことを特徴とする。
【００３０】
前記1つ以上の実施形態によるＲＡＮ制御要素は、無線リソースを管理するＲＡＮ制御要素で、外部とデータ通信を行う通信部及び前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を生成し、前記リソース制限情報をラジオアクセスポイントに送信するように前記通信部を制御する制御部を含むことを特徴とする。  
【００３１】
前記1つ以上の実施形態によるラジオアクセスポイントは、無線リソースを管理するラジオアクセスポイントで、ＲＡＮ制御要素から前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信する通信部及び前記リソース制限情報に基づいて端末に対するリソース管理を行う制御部を含むことを特徴とする。
【００３２】
前記1つ以上の実施形態による端末は、無線リソースを管理する端末で、ラジオアクセスポイントから前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信する通信部及び前記リソース制限情報に基づいてリソース管理を行う制御部を含むことを特徴とする。
【発明の効果】
【００３３】
本発明は、端末が１つ以上のラジオアクセスポイントと相互作用するときに無線リソース或はその外の無線通信システムのリソースを管理することができるようにする。
【図面の簡単な説明】
【００３４】
【図１】一般的な無線通信システムを示す図面である。
【図２】本発明の第１実施形態による無線リソース管理方法を示すフローチャートである。
【図３】本発明の第２実施形態による端末の共用地域移動網(Ｐｕｂｌｉｃ Ｌａｎｄ Ｍｏｂｉｌｅ Ｎｅｔｗｏｒｋ、ＰＬＭＮ)識別子を記憶する方法を示すフローチャートである。
【図４】本発明の第３実施形態による無線リソース管理方法を示すフローチャートである。
【図５】本発明の第４実施形態による無線リソース管理方法を示すフローチャートである。
【図６】本発明の第５実施形態による無線リソース管理方法を示すフローチャートである。
【図７】本発明の第６実施形態による無線リソース管理方法を示すフローチャートである。
【図８】本発明の第７実施形態による無線リソース管理方法を示すフローチャートである。
【図９】本発明によるＲＡＮ管理要素の構成を示すブロック図である。
【図１０】本発明によるラジオアクセスポイントの構成を示すブロック図である。
【図１１】本発明による端末の構成を示すブロック図である。
【図１２】本発明の第８実施形態による無線リソース管理方法を示すフローチャートである。
【発明を実施するための形態】
【００３５】
以下、添付された図面を参照して本発明の好ましい実施形態を詳しく説明する。このとき、添付された図面で同一構成要素は可能な同一符号に付している事に留意しなければならない。さらに、本発明の要旨を不明瞭にすることができる公知機能及び構成に対する詳細な説明は省略する。
【００３６】
また、本発明の実施形態を具体的に説明するにあたり、３ＧＰＰが規格を決めたＲＡＮ、コア網のＬＴＥ(Ｌｏｎｇ Ｔｅｒｍ Ｅｖｏｌｕｔｉｏｎ、ＬＴＥ)と進化されたパケットコア(Ｅｖｏｌｖｅｄ Ｐａｃｋｅｔ Ｃｏｒｅ、ＥＰＣ)を主な対象とするが、本発明の主な要旨は類似の技術的背景を持つその他の通信システムにも本発明の範囲を大きく逸脱せず範囲で僅かの変形で適用可能であり、これは本発明の技術分野で熟練された技術的知識を有する者の判断で可能であろう。
【００３７】
図２は、本発明の第１実施形態による無線リソース管理方法を示すフローチャートである。
【００３８】
具体的に、図２はＲＡＮの制御要素２２０が加入者情報を持っているサーバー２３０からリソース管理情報を受けて前記リソース管理情報又は前記リソース管理情報を加工した情報をラジオアクセスポイント２１０及び端末２００のうちの１つ以上の無線通信システムの要素に送信する信号の流れを示すフローチャートである。
【００３９】
この実施形態によれば、加入者情報を持っているサーバー２３０、ＲＡＮの制御要素２２０、ラジオアクセスポイント２１０、及び端末２００のうちの１つ以上の無線通信システムの要素はリソース管理情報に基づいてリソース管理を行うことができる。
【００４０】
段階２４０で加入者情報を持っているサーバー２３０は、リソース管理のために用いられる情報を含む加入者情報が入力されることができる。前記リソース管理のために用いられる情報は既存に定義された情報であることもでき、新たに定義される情報であることもある。既存に定義された情報の例としてはアクセス制限データ(Ａｃｃｅｓｓ-Ｒｅｓｔｒｉｃｔｉｏｎ-Ｄａｔａ)が挙げられる。
【００４１】
段階２５０で加入者情報を持っているサーバー２３０は、ＲＡＮの制御要素２２０で前記リソース管理のために用いられる情報が含まれたメッセージを送信することができる。前記メッセージは既存のＩｎｓｅｒｔ Ｓｕｂｓｃｒｉｂｅｒ Ｄａｔａ Ｒｅｑｕｅｓｔメッセージであることもでき、新たに生成されたメッセージであることもある。前記リソース管理のために用いられる情報はＰＬＭＮ識別子、トラッキング地域(Ｔｒａｃｋｉｎｇ Ａｒｅａ、ＴＡ)識別子、位置地域(Ｌｏｃａｔｉｏｎ ａｒｅａ、ＬＡ)識別子、ルーティング地域(Ｒｏｕｔｉｎｇ Ａｒｅａ、ＲＡ)識別子、無線接続技術(Ｒａｄｉｏ Ａｃｃｅｓｓ Ｔｅｃｈｎｏｌｏｇｙ、ＲＡＴ)名、周波数帯域、共有網地域(Ｓｈａｒｅｄ Ｎｅｔｗｏｒｋ Ａｒｅａ、ＳＮＡ)コード、ＭＭＥコード、ＭＭＥグループ識別子、ＬＴＥ用セルグローバル識別子(Ｃｅｌｌ Ｇｌｏｂａｌ Ｉｄｅｎｔｉｆｉｅｒ、ＣＧＩ)、ＣＧＩ、中央集中型スケジューリングユニット(ｃｅｎｔｒａｌ ｓｃｈｅｄｕｌｉｎｇ ｕｎｉｔ、ＣＳＵ)識別子。向上したサービングモバイル位置センター(Ｅｎｈａｎｃｅｄ Ｓｅｒｖｉｎｇ Ｍｏｂｉｌｅ Ｌｏｃａｔｉｏｎ Ｃｅｎｔｅｒ、Ｅ-ＳＭＬＣ)識別子、及び位置測定ユニット(Ｌｏｃａｔｉｏｎ Ｍｅａｓｕｒｅｍｅｎｔ Ｕｎｉｔ、ＬＭＵ)識別子のうちのいずれか１つ以上を含むことができる。
【００４２】
前記に例えた識別子、コード、ＲＡＴ名及び周波数帯域を伝達するとき、ビット列或はインデックス形態で伝達することができる。このようにすれば伝達するデータの大きさを減らすことができ、伝達に効率的であることがある。ビット列で伝達されるとき、各ビット列は特定識別子、コード、ＲＡＴ名又は周波数帯域を意味することができる。このとき、１は制限しようとする項目、０は許容しようとする項目を意味することができる(或はその反対であることもある)。インデックスで伝達されるとき、送信する方と受信する方に共通で各インデックスが意味する識別子、コード、ＲＡＴ又は周波数帯域を予めを決定し、これに基づいてインデックスを送信することができる。
【００４３】
段階２５３でＲＡＮ制御要素２２０は、前記リソース管理のために用いられる情報をそのまま又は加工した後、記憶する。以後、ＲＡＮの制御要素２２０がリソースを管理するとき、前記記憶した情報を用いることができる。例えば、前記記憶した情報を用いてＲＡＮ制御要素２２０は、Ｌｏｃａｔｉｏｎ Ｒｅｇｉｓｔｒａｔｉｏｎ過程でＮＡＳ(Ｎｏｎ Ａｃｃｅｓｓ Ｓｔｒａｔｕｍ)プロトコルで受諾(ａｃｃｅｐｔ)及び拒否(ｒｅｊｅｃｔ)メッセージのうちの１つ以上のメッセージを送信することによってリソース管理を行うことができる。例えば、前記記憶した情報で受諾したリソースに対するＬｏｃａｔｉｏｎ Ｒｅｇｉｓｔｒａｔｉｏｎは受諾したり前記記憶した情報で制限するリソースに対するＬｏｃａｔｉｏｎ Ｒｅｇｉｓｔｒａｔｉｏｎは拒否する方式でリソース管理を行うことができる。
【００４４】
段階２６０で、ＲＡＮの制御要素２２０はラジオアクセスポイント２１０でリソース管理情報を送信することができる。この段階の前記リソース管理情報は前記段階２５３でＲＡＮ制御要素２２０が記憶した情報であることもでき、前記記憶した情報を加工した情報であることもでき、ＲＡＮの制御要素２２０が生成した情報であることもでき、他の無線通信システムの要素、例えば、ＯＡＭがＲＡＮの制御要素２２０で送信した情報であることもある。
【００４５】
前記段階２６０で伝達することができる前記リソース管理情報を便宜上のリソース制限情報(Ｒｅｓｏｕｒｃｅ Ｒｅｓｔｒｉｃｔｉｏｎ Ｌｉｓｔ、ＲＲＬ)と称する。前記リソース管理情報を必ずＲＲＬと称する必要がないということは自明である。また、ＲＲＬは必ずリソースの制限情報のみを含むのではなく、受諾するリソースに対する情報を含むこともできる。
【００４６】
前記ＲＲＬは端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ)で用いられるリソースのうちの少なくとも１つを制限又は受諾するための情報を含むことができる。すなわち、前記ＲＲＬは端末が、ＲＲＬに含まれた無線リソースを介してデータ通信を行わないように、若しくはＲＲＬに含まれた無線リソースのみを介してデータ通信を行うようにする情報を含むことができる。
【００４７】
前記ＲＲＬは、Ｓ１ＡＰメッセージ又はＲＡＮＡＰメッセージのうちの１つ以上のメッセージを介して伝達することができる。より具体的に前記ＲＲＬはＩＮＩＴＩＡＬ ＣＯＮＴＥＸＴ ＳＥＴＵＰ Ｒｅｑｕｅｓｔメッセージ、ＨＡＮＤＯＶＥＲ Ｒｅｑｕｅｓｔメッセージ、ＤＯＷＮＬＩＮＫ ＮＡＳ ＴＲＡＮＳＰＯＲＴメッセージ、ＰＡＧＩＮＧメッセージ、ＲＥＬＯＣＡＴＩＯＮ Ｒｅｑｕｅｓｔメッセージ、及びＣＯＭＭＯＮ ＩＤメッセージのうちのいずれか１つ以上のメッセージを介して伝達されることができる。前記のＲＲＬを伝達することができるメッセージ名を介して分かるように、ＲＡＮの制御要素２２０はＲＲＬをＬｏｃａｔｉｏｎ Ｒｅｇｉｓｔｒａｔｉｏｎ過程、Ｓｅｒｖｉｃｅ Ｒｅｑｕｅｓｔ過程、及びハンドオーバー過程のうちのいずれか１つ以上の過程を介してラジオアクセスポイント２１０に伝達することもでき、前記過程を通じなくても前記ＲＡＮの制御要素２２０が記憶しているリソース管理情報に変更が生じたときなどの場合に送信することができる。
【００４８】
以下、表１はＲＲＬがＨＲＬに含まれる場合、ＨＲＬの例を表される表で、表２はＲＲＬが ＨＲＬのようなレベルのＩＥに含まれたときのメッセージの例を表される表である。
【００４９】
【表１】
2016509431.tif 000003
【００５０】
【表２】
2016509431.tif 000004
【００５１】
前記段階で２６０で送信されるＲＲＬは既存にあった端末の移動性を管理する情報であるＨＲＬ、ＳＮＡ Ａｃｃｅｓｓ Ｉｎｆｏｒｍａｔｉｏｎ及びＮＡＳプロトコルデータ単位(Ｐｒｏｔｏｃｏｌ Ｄａｔａ Ｕｎｉｔ、ＰＤＵ)のうちの１つ以上に含まれ(表１参照)、若しくはＨＲＬ又はＳＮＡ Ａｃｃｅｓｓ Ｉｎｆｏｒｍａｔｉｏｎのようなレベルの情報元素(Ｉｎｆｏｒｍａｔｉｏｎ Ｅｌｅｍｅｎｔ、ＩＥ)であることもある(表２参照)。前記ＲＲＬは、制限しようとするリソース及び許容しようとするリソースのうちの１つ以上が含まれる。若しくはＲＲＬは許容しようとするリソースを示す独立的なＩＥ及び制限しようとするリソースを示す独立的な ＩＥで別に分けられて表現されることもできる。表３は、ＲＲＬが許容しようとするリソースを示す独立的なＩＥ及び制限しようとするリソースを示す独立的なＩＥで別に分けられて表現された例を示す。表３ではＲＲＬ(許容しようとするリソース及び制限しようとするリソースを示すＩＥ)がＨＲＬのようなレベルのＩＥの場合を示したが、前述したようにＨＲＬのような他のレベルのＩＥで表現されることもできる。前記ＲＲＬは、ＰＬＭＮ識別子、ＲＡＴ名 、ＴＡ識別子、ＬＡ識別子、ＲＡ識別子、周波数帯域、ＳＮＡコード、ＭＭＥコード、ＭＭＥグループ識別子、ＬＴＥ用ＣＧＩ、ＣＧＩ、ＣＳＵ識別子、Ｅ-ＳＭＬＣ識別子、及びＬＭＵ識別子のうちのいずれか１つ以上を含むことができる。
【００５２】
以下、表３はＲＲＬが２つ以上のＩＥに分けられてメッセージに表現された場合の例を示す表である。
【００５３】
【表３】
2016509431.tif 000005
【００５４】
前記に例えた識別子、コード、ＲＡＴ名及び周波数帯域はビット列、若しくはインデックス形態で伝達することができる。このようにすれば伝達するデータの大きさを減らすことができて伝達に効率的であることがある。ビット列に伝達するとき、各ビットは特定識別子、コード、ＲＡＴ名又は周波数帯域を意味することができる。このとき、１は制限しようとする項目、０は許容しようとする項目を意味することができる(或はその反対)。識別子、コード、ＲＡＴ名及び周波数帯域がインデックスで伝達するとき、送信する方と受信する方は共通で各インデックスが意味する識別子、コード、ＲＡＴ又は周波数帯域を予め決定し、これに基づいてインデックスを送信することができる。
【００５５】
前記ＲＲＬはまた単純なインジケーション(ｉｎｄｉｃａｔｉｏｎ)に表現されることができる。ＲＲＬがｉｎｄｉｃａｔｉｏｎに表現される場合に、前記ｉｎｄｉｃａｔｉｏｎはＲＲＬとＨＲＬ 或はＳＮＡ Ａｃｃｅｓｓ Ｉｎｆｏｒｍａｔｉｏｎとの連関性を意味することができる。例えば、前記ｉｎｄｉｃａｔｉｏｎはＲＲＬがＨＲＬ又はＳＮＡ Ａｃｃｅｓｓ Ｉｎｆｏｒｍａｔｉｏｎと同様であるということを意味することができる。
【００５６】
段階２６３からラジオアクセスポイント２１０は、前記ＲＲＬを記憶することができる。実施形態にかけて一般的に、ラジオアクセスポイント２１０は記憶したＲＲＬに基づいてリソース管理を行うことができる。前記リソース管理は移動性管理の外のリソース管理を意味することもでき、移動性管理を含む総括的リソース管理を意味することもできる。
【００５７】
本発明による無線通信システムで前記ＲＲＬとＨＲＬの関係原則が設定されることができる。例えば、無線通信システムはＨＲＬが制限するリソースの集合はＲＲＬが制限するリソースの集合の部分集合となるように設定することができる。一方、ＲＲＬが制限するリソースの集合がＨＲＬで制限するリソースの集合の部分集合となるようにできることは明白である。
【００５８】
移動性管理の外のリソース管理の例では、キャリアアグリゲーション設定、ＣｏＭＰ設定、及びＲＡＮ制御要素選択を挙げることができる。前記リソース管理の１つの例であるＲＡＮ制御要素選択時のＰＬＭＮ識別子、ＭＭＥコード、及びＭＭＥグループ識別子のうちのいずれか１つ以上の情報を用いることができる。より具体的に例えば、ＲＲＬが特定ＭＭＥコードを制限するようになると、ラジオアクセスポイント２１０がＭＭＥを選ぶとき、前記ＭＭＥコードを有するＭＭＥは選ばないようにできる。換言すると、ＮＡＳノードを選ぶ機能(ＮＡＳ Ｎｏｄｅ Ｓｅｌｅｃｔｉｏｎ Ｆｕｎｃｔｉｏｎ、ＮＮＳＦ)を行うときの前記情報を用いることができる。
【００５９】
ＲＲＬがＨＲＬ又はＳＮＡ Ａｃｃｅｓｓ Ｉｎｆｏｒｍａｔｉｏｎと同様であるということを意味する場合には、換言すると、リソース管理に用いられる情報が既存の移動性管理のために用いられる情報と同様であることを意味する場合(例えば、ＲＲＬがｉｎｄｉｃａｔｉｏｎに表現される場合)には、ラジオアクセスポイント２１０は移動性を受諾したリソースに対して移動性だけではなくその外のリソースアクセスを受諾することができる。前記の場合に、ラジオアクセスポイント２１０は移動性を制限したリソースに対して移動性だけではなくその外のリソースアクセスを制限することができる。上述した説明で簡単に類推することができるように、本発明の実施形態にかけて、ＲＲＬがＨＲＬを意味することができることは自明である。
【００６０】
段階２６５でラジオアクセスポイント２１０は、端末２００でリソース管理情報を送信することができる。前記リソース管理情報はＲＲＬ又はこれを加工した情報であることができる。前記情報はＤＬＩｎｆｏｒｍａｔｉｏｎＴｒａｎｓｆｅｒメッセージ、ＲＲＣＣｏｎｎｅｃｔｉｏｎＲｅｃｏｎｆｉｇｕｒａｔｉｏｎメッセージ、及びＲＲＣＣｏｎｎｅｃｔｉｏｎＲｅｅｓｔａｂｌｉｓｈｍｅｎｔメッセージのうちのいずれか１つ以上のメッセージを介して伝達することができる。
【００６１】
段階２７５で端末２００はラジオアクセスポイント２１０から受けた前記情報を記憶することができる。前記情報は端末２００の汎用加入者識別モジュール(Ｕｎｉｖｅｒｓａｌ Ｓｕｂｓｃｒｉｂｅｒ Ｉｄｅｎｔｉｔｙ Ｍｏｄｕｌｅ、ＵＳＩＭ)に記憶されることもでき、端末２００のその他の記憶部に記憶されることもできる。
【００６２】
前記端末２００は記憶された情報に基づいてリソース管理を行うことができる。例えば、アイドル状態の端末２００はＰＬＭＮ選択をしたりキャンピングするラジオアクセスポイントを選ぶとき、前記記憶された情報を用いることができる。
【００６３】
端末２００でリソース管理情報がＤＬＩｎｆｏｒｍａｔｉｏｎＴｒａｎｓｆｅｒメッセージを介して送信される場合は、ＲＡＮ制御要素２２０と端末２００の間のＮＡＳメッセージを介してリソース管理情報が伝達する場合であると言える。前記リソース管理情報を伝達するＮＡＳメッセージの例ではＡｔｔａｃｈ ａｃｃｅｐｔメッセージ、Ａｔｔａｃｈ ｒｅｊｅｃｔメッセージ、Ｔｒａｃｋｉｎｇ ａｒｅａ ｕｐｄａｔｅ ａｃｃｅｐｔメッセージ、Ｔｒａｃｋｉｎｇ ａｒｅａ ｕｐｄａｔｅ ｒｅｊｅｃｔメッセージ、Ｒｏｕｔｉｎｇ ａｒｅａ ｕｐｄａｔｅ ａｃｃｅｐｔメッセージ及びＲｏｕｔｉｎｇ ａｒｅａ ｕｐｄａｔｅ ｒｅｊｅｃｔメッセージがある。
【００６４】
前記端末２００が受けた情報がＵＳＩＭに記憶される場合には基本ファイル(Ｅｌｅｍｅｎｔａｒｙ Ｆｉｌｅ、ＥＦ)に記憶されることができる。既存のＥＦに追加的に記憶されることもでき、新しいＥＦを生成してそれに適当なリソース管理情報を記憶することができる。例えば、ラジオアクセスポイント２１０から受けた情報に接続が制限されたＴＡ識別子が入っている場合に、端末２００はＵＳＩＭに新しいＥＦ(例えば、ＥＦＦＴＡＣ)を生成して前記ＴＡ識別子を記憶することができる。
【００６５】
図３は、本発明の第２実施形態による端末の共用地域移動網(Ｐｕｂｌｉｃ Ｌａｎｄ Ｍｏｂｉｌｅ Ｎｅｔｗｏｒｋ、ＰＬＭＮ)識別子を記憶する方法を示すフローチャートである。
【００６６】
具体的に、図３は端末がＰＬＭＮ識別子を記憶する過程を示すフローチャートである。
【００６７】
この実施形態によれば、端末は最大記憶可能なＰＬＭＮ識別子の個数のような数字のＰＬＭＮ識別子を記憶しているとき、新しいＰＬＭＮ識別子を受けると、予め記憶されたＰＬＭＮ識別子のうちで１つを既存と異なる方式で選んで選択的に廃棄した後、前記新たに受けたＰＬＭＮ識別子を記憶することができる。この時、前記ＰＬＭＮ識別子は制限されたＰＬＭＮ識別子であることもでき、受諾されたＰＬＭＮ識別子であることもある。
【００６８】
段階３００で端末２００は新しいＰＬＭＮ識別子を受ける。これはＲＡＮ制御要素２２０が ＮＡＳメッセージを介して伝達したことであることもあり、ラジオアクセスポイント２１０が直接伝達したことであることもあり、若しくはその他の経路を介して端末で伝達したことであることができる。
【００６９】
段階３１０で端末２００に予め記憶することができる最大個数のＰＬＭＮ識別子が記憶されているかを判断する。ここで端末２００が記憶することができる最大ＰＬＭＮ識別子個数を便宜上 ｎという。
【００７０】
もし 、ｎ個の識別子が予め記憶されていない場合には段階３３０へ進行する。端末２００に新たに受けたＰＬＭＮ識別子を記憶する余裕があるので、一般的な場合には記憶しないＰＬＭＮ識別子を選ぶ必要がない。
【００７１】
もし、ｎ 個のＰＬＭＮ識別子が予め記憶されている場合には段階３２０へ進行する。総(ｎ＋１)個のＰＬＭＮ識別子(予め記憶されたｎ個のＰＬＭＮ識別子と新たに受けたＰＬＭＮ識別子)のうち、１つのＰＬＭＮ識別子を選ぶ。前記選ばれた１つのＰＬＭＮ識別子は保護されない(ｐｒｏｔｅｃｔｅｄ)ＰＬＭＮ識別子、予め記憶された保護されないＰＬＭＮ識別子のうちで最も上位にあるＰＬＭＮ識別子、予め記憶された保護されないＰＬＭＮ識別子のうちで最も下位にあるＰＬＭＮ識別子、予め記憶されたＰＬＭＮ識別子のうちで最も上位にあるＰＬＭＮ識別子、及び予め記憶されたＰＬＭＮ識別子のうちで最も下位にあるＰＬＭＮ識別者のうちのいずれか１つである。
【００７２】
段階３２０又は段階３３０を経て段階３４０で、選ばないＰＬＭＮ識別子のうちで予め記憶されたＰＬＭＮ識別子は絶えず記憶する。この時、記憶するポジションが変更されることができる。新たに受けたＰＬＭＮ識別子が選択されないと、新たに受けたＰＬＭＮ識別子を記憶する。新たに受けたＰＬＭＮ識別子を記憶するとき、選ばれたＰＬＭＮ識別子のポジションに記憶することができる。
【００７３】
この実施形態は、必ずＰＬＭＮ識別子を記憶するときではなくて、ＲＡＴ名、ＴＡ識別子、ＬＡ識別子、ＲＡ識別子、周波数帯域、ＳＮＡ コード、ＭＭＥコード、ＭＭＥグループ識別子、ＬＴＥ用ＣＧＩ、ＣＧＩ、ＣＳＵ識別子、Ｅ-ＳＭＬＣ識別子、及びＬＭＵ識別子のうちのいずれか１つ以上を記憶することにも応用することができるということは自明なものである。  
【００７４】
図４は、本発明の第３実施形態による無線リソース管理方法を示すフローチャートである。
【００７５】
具体的に、図４は端末４００がラジオアクセスポイント４１０で又はラジオアクセスポイント４１０が他のラジオアクセスポイント４４０でリソース管理情報を伝達する信号の流れを示すフローチャートである。
【００７６】
この実施形態によれば、端末４００はラジオアクセスポイント４１０でリソース管理に必要な情報を伝達することができ、これに基づいてラジオアクセスポイント４１０はリソース管理を行うことができる。また、必要な場合、他のラジオアクセスポイント４４０もリソース管理に必要な情報を受けてリソース管理を行うことができる。
【００７７】
段階４１５で、端末４００は本発明の第１実施形態を介してリソース管理情報を受けることができる。若しくは他の経路を介してリソース管理情報を受けることもできる。
【００７８】
段階４２０で、端末４００はラジオアクセスポイント４１０でリソース管理情報を送信することができる。前記リソース管理情報はＰＬＭＮ識別子、ＲＡＴ名、ＴＡ識別子、ＬＡ識別子、ＲＡ識別子、周波数帯域、ＳＮＡコード、ＭＭＥコード、ＭＭＥグループ識別子、ＬＴＥ用ＣＧＩ、ＣＧＩ、ＣＳＵ 識別子。Ｅ-ＳＭＬＣ識別子、及びＬＭＵ識別子のうちのいずれか１つ以上を含むことができる。前記リソース管理情報はＲＲＣＣｏｎｎｅｃｔｉｏｎＲｅｑｕｅｓｔ メッセージ及びＲＲＣＣｏｎｎｅｃｔｉｏｎＳｅｔｕｐＣｏｍｐｌｅｔｅメッセージうちのいずれか１つ以上のメッセージを介して伝達することができる。
【００７９】
前記に例えたように識別子、コード、ＲＡＴ名及び周波数帯域を伝達するとき、ビット或はインデックス形態で伝達されることができる。このようにすれば伝達するデータの大きさを減らすことができ、伝達に効率的である。ビット列で伝達するときに各ビットは特定識別子、コード、ＲＡＴ名又は周波数帯域を意味することができる。この時、１は制限しようとする項目、０は許容しようとする項目を意味することができる(或はその反対)。インデックスへ伝達するときに送信する方と受信する方に共通で各インデックスが意味する識別子、コード、ＲＡＴ又は周波数帯域を予め決定してこれに基づいてインデックスを送信することができる。
【００８０】
段階４３０で、ラジオアクセスポイント４１０は前記リソース管理情報又はこれを加工した情報を記憶することができる。実施形態にかけて一般的に、前記記憶したリソース管理情報に基づいてラジオアクセスポイント４１０はリソース管理を行うことができる。前記リソース管理は移動性管理の外のリソース管理を意味することもでき、移動性管理を含む総括的リソース管理を意味することもできる。
【００８１】
移動性管理の外のリソース管理の例としてはキャリアアグリゲーション設定、ＣｏＭＰ設定、及びＲＡＮ制御要素選択を挙げることができる。前記リソース管理の１つの例であるＲＡＮ制御要素選択の際、ＰＬＭＮ識別子、ＭＭＥコード、及びＭＭＥグループ識別子のうちのいずれか１つ以上の情報を用いることができる。より具体的に例えば、前記リソース管理情報が特定ＭＭＥコードを制限するようになっていると、ラジオアクセスポイント４１０がＭＭＥを選ぶとき、前記ＭＭＥコードを有するＭＭＥは選ばないようにできる。換言すれば、ＮＮＳを行うときに前記情報を用いることができる。
【００８２】
段階４５０からラジオアクセスポイント４１０は他のラジオアクセスポイント４４０でリソース管理情報を送信することができる。前記送信される情報はＰＬＭＮ識別子、ＲＡＴ名、ＴＡ識別子、ＬＡ 識別子、ＲＡ識別子、周波数帯域、ＳＮＡコード、ＭＭＥコード、ＭＭＥグループ識別子、ＬＴＥ用ＣＧＩ、ＣＧＩ、ＣＳＵ識別子。Ｅ-ＳＭＬＣ識別子、及びＬＭＵ識別子のうちのいずれか１つ以上を含むことができる。前記情報を便宜上ＲＲＬという。この段階で伝達するＲＲＬはラジオアクセスポイント４１０が以前にＲＡＮ制御要素から受けた情報を意味することもできる。
【００８３】
前記に例えたように識別子、コード、ＲＡＴ名及び周波数帯域を伝達するとき、ビット列或はインデックス形態で伝達することができる。このようにすれば伝達するデータの大きさを減らすことができ、伝達に効率的である。ビット列で伝達するとき、各ビットは特定識別子、コード、ＲＡＴ名又は周波数帯域を意味することができる。この時、１は制限しようとする項目、０は許容しようとする項目を意味することができる(或はその反対)。インデックスで伝達するときに送信する方と受信する方に共通で各インデックスが意味する識別子、コード、ＲＡＴ又は周波数帯域を予め決定してこれに基づいてインデックスを送信することができる。
【００８４】
前記段階４５０で送信される情報はＩＮＩＴＩＡＬ ＵＥ ＭＥＳＳＡＧＥメッセージ、ＨＡＮＤＯＶＥＲ Ｒｅｑｕｅｓｔメッセージのうち１つ以上のメッセージを介して送信されることができる。特に、ラジオアクセスポイント４１０がＮＮＳＦをサポートしないとき、前記情報をＩＮＩＴＩＡＬ ＵＥ ＭＥＳＳＡＧＥメッセージを介して伝達するようにできる。ＮＮＳＦをサポートしないラジオアクセスポイントの例としては、ＨｅＮＢが挙げられる。前記送信される情報は既存に定義されなかった新しいメッセージを介して伝達することもできる。前記新しいメッセージの例としては、ＳＣｅｌｌを加える過程及び再設定(ｒｅｃｏｎｆｉｇｕｒａｔｉｏｎ)する過程で送信されるメッセージを挙げることができる。
【００８５】
段階４６０で、ラジオアクセスポイント４４０は、他のラジオアクセスポイント４１０が段階４３０でした作業中で一部又は全体を行うことができる。特にラジオアクセスポイント４４０が前記端末４００に対するＳＣｅｌｌであるとき、ラジオアクセスポイント４４０は前記端末４００の以後のＳＣｅｌｌ設定に関与することができる。
【００８６】
具体的に、ＳＣｅｌｌ設定はプライマリーラジオアクセスポイントによりだけ決定されなくｓｅｃｏｎｄａｒｙラジオアクセスポイントが追加的なＳＣｅｌｌ設定に関与することができる場合に、ｓｅｃｏｎｄａｒｙラジオアクセスポイント４４０はラジオアクセスポイント４１０から受けたリソース管理情報を用いて追加的なＳＣｅｌｌ設定を行うことができる。
【００８７】
図５は、本発明の第４実施形態による無線リソース管理方法を示すフローチャートである。  
【００８８】
具体的に、図５はＯＡＭ５００からラジオアクセスポイント５１０でリソース管理情報を送信する信号の流れを示すフローチャートである。
【００８９】
段階５１５で、ＯＡＭ５００はリソース管理情報を持っている。一般的にＯＡＭは端末単位の情報よりは更に大きい単位、例えばラジオアクセスポイント、ＴＡ、或はＰＬＭＮ単位の情報を持っている。例えば、ＯＡＭはどんなＰＬＭＮで接続する端末は特定ＰＬＭＮのリソースを用いることができないようにする情報を持ってあり得る。また、特定ラジオアクセスポイント５１０は特定ＰＬＭＮを用いるラジオアクセスポイントのリソースを用いることができないようにする情報を持っていることもできる。勿論、ＯＡＭは端末単位の情報を持っていることもできる。ＯＡＭが端末単位の情報を持つ場合、前記情報は第１実施形態のＲＲＬと類似の情報であることができる。
【００９０】
段階５２０で、ＯＡＭ５００はラジオアクセスポイント５１０でリソース管理情報を送信する。この時、送信される情報は前記段階５１５でＯＡＭ５００が持っていた情報であることができる。
【００９１】
段階５３０で、ラジオアクセスポイント５１０は受信された情報を記憶し、これに基づいてリソース管理を行うことができる。例えば、段階５２０を介して受信された情報が任意のＰＬＭＮ Ａで接続する端末は特定ＰＬＭＮ Ｂのリソースを用いることができないようにする情報を含むと、前記ＰＬＭＮ Ａで接続する端末はＰＬＭＮ Ｂへの移動性も受諾しないこともあり、ＰＬＭＮ Ｂのリソースも用いることができないようにできる。これは、ＰＬＭＮ ＢがＰＬＭＮ Ａの同等なＰＬＭＮ(ｅｑｕｉｖａｌｅｎｔ ＰＬＭＮ、ｅＰＬＭＮ)の場合にも適用することができる。
【００９２】
図６は、本発明の第５実施形態による無線リソース管理方法を示すフローチャートである。
【００９３】
具体的に、図６はプライマリーラジオアクセスポイント９１０のリソース管理能力に基づいて端末９００と副次的に相互作用するラジオアクセスポイント９２０を追加する信号の流れを示すフローチャートである。
【００９４】
段階９５０で、端末９００はラジオアクセスポイント９１０でＭｅａｓｕｒｅｍｅｎｔ Ｒｅｐｏｒｔを送信することができる。前記Ｍｅａｓｕｒｅｍｅｎｔ ＲｅｐｏｒｔはＭｅａｓｕｒｅｍｅｎｔＲｅｐｏｒｔ メッセージを介して送信されることができる。Ｍｅａｓｕｒｅｍｅｎｔ Ｒｅｐｏｒｔを送信するとき、端末９００が持つことができるリソース管理情報に基づいて、このリソース管理情報で制限するリソースに関する内容の全体又は一部をＭｅａｓｕｒｅｍｅｎｔ Ｒｅｐｏｒｔから除外する。  
【００９５】
例えば、端末９００は制限するように定められた無線リソースに対する内容全体を一切送信されないこともあり、制限するように定められた無線リソースに対しては基準信号(ｒｅｆｅｒｅｎｃｅ ｓｉｇｎａｌ)測定強度無しに識別子だけ送信することもできる。前記基準信号測定強度の例ではＲＳＲＰ−Ｒａｎｇｅ及びＲＳＲＱ−Ｒａｎｇｅが挙げられる。前記識別子は ＰｈｙｓＣｅｌｌＩｄ、ＣｅｌｌＧｌｏｂａｌＩｄＥＵＴＲＡ、ＴｒａｃｋｉｎｇＡｒｅａＣｏｄｅ、ＰＬＭＮ-Ｉｄｅｎｔｉｔｙ のうちの少なくとも１つを意味することができる。
【００９６】
その他に、端末９００は Ｍｅａｓｕｒｅｍｅｎｔ Ｒｅｐｏｒｔにリソース管理情報で制限するリソースに対してインジケーターを含ませることができる。このインジケーターを受けたラジオアクセスポイント９６０はインジケーターが含まれた無線リソースに対しては端末２００が無線リソース使用をしないようにできる。
【００９７】
段階９６０で、ラジオアクセスポイント９１０は端末９００と副次的に相互作用するラジオアクセスポイント追加決定をすることができる。この時、端末９００のＭｅａｓｕｒｅｍｅｎｔ Ｒｅｐｏｒｔに基づいて決定をすることができる。前記副次的に相互作用するラジオアクセスポイントはＳＣｅｌｌを含む端末９００と副次的に制御面(ｃｏｎｔｒｏｌ ｐｌａｎｅ)及び／又はユーザ面(ｕｓｅｒ ｐｌａｎｅ)を形成するラジオアクセスポイントを意味することができる。ＣｏＭＰなどの技術では一つの端末と幾つかのラジオアクセスポイントがｕｓｅｒ ｐｌａｎｅを形成することができるが(Ｊｏｉｎｔ Ｐｒｏｃｅｓｓｉｎｇ：Ｊｏｉｎｔ Ｔｒａｎｓｍｉｓｓｉｏｎ、Ｄｙｎａｍｉｃ Ｐｏｉｎｔ Ｓｅｌｅｃｔｉｏｎ、ｄｕａｌ ｃｏｎｎｅｃｔｉｖｉｔｙ)、この幾つかのラジオアクセスポイントのうちの端末を主にサービングするラジオアクセスポイントを除いたラジオアクセスポイントが副次的に相互作用するラジオアクセスポイントの例と言える。ラジオアクセスポイントの例としては、ｅＮＢが挙げられる。
【００９８】
ラジオアクセスポイント９１０は他のラジオアクセスポイント９２０が端末９００と副次的に相互作用するラジオアクセスポイントで適合するかを決定するとき、次の条件のうちの少なくとも１つ以上を満足させるのか考慮することができる。
【００９９】
―ラジオアクセスポイント９２０はＲＲＬ及びＨＲＬのうちの少なくとも１つが制限するリソースに属しない；
―ラジオアクセスポイント９２０はＲＲＬ及びＨＲＬのうちの少なくとも１つが許容するリソースに属する；
―ラジオアクセスポイント９２０は端末９００の加入者プロフィール識別子(Ｓｕｂｓｃｒｉｂｅｒ Ｐｒｏｆｉｌｅ Ｉｄｅｎｔｉｔｙ、ＳＰＩＤ)が受諾するリソースに属する；
―ラジオアクセスポイント９２０はプライマリーラジオアクセスポイント９１０のような特性を持つ。
【０１００】
前記のような特性は同じＰＬＭＮ識別子、同等な(ｅｑｕｉｖａｌｅｎｔ)ＰＬＭＮ識別子、同じＴＡコード、同じＴＡ識別子、同じＲＡＴ名、同じＭＭＥコード、同じＭＭＥグループ識別子、同じ物理的セル識別子(Ｐｈｙｓｉｃａｌ Ｃｅｌｌ Ｉｄｅｎｔｉｔｙ、ＰＣＩ)範囲中の１つ以上を意味することができる。例えば、ラジオアクセスポイント９１０はラジオアクセスポイント９１０のようなＴＡ識別子を持つラジオアクセスポイントのみを端末９００のＳＣｅｌｌになるようにリソース管理ができる。
【０１０１】
本発明の実施形態で、ＲＲＬとＨＲＬは同様の意味で用いられることができ、それによってＲＲＬはＨＲＬを指示することができる。
【０１０２】
他のラジオアクセスポイント９２０が端末９００と副次的に相互作用するラジオアクセスポイントで適合したことで決定された場合、段階９７０でラジオアクセスポイント９１０は他のラジオアクセスポイント９２０に端末９００と副次的に相互作用することをリクエストすることができる。これのためにラジオアクセスポイント９１０は他のラジオアクセスポイントでリクエストメッセージを送信することができる。リクエストメッセージは例えば、ＨＡＮＤＯＶＥＲ ＲＥＱＵＥＳＴメッセージ、新たに定義されるメッセージ(メッセージ名前の例：ＳＥＣＯＮＤＡＲＹ ＣＥＬＬ ＡＤＤＩＴＩＯＮ ＲＥＱＵＥＳＴ)であることがある。前記リクエストメッセージはＨＲＬ、サービングＰＬＭＮ識別子、ｅｑｕｉｖａｌｅｎｔＰＬＭＮ識別子、ＴＡコード、ＴＡ識別子、ＭＭＥコード、ＭＭＥグループ識別子、ＰＣＩ、ＬＴＥ用ＣＧＩのうちの少なくとも１つを含むことができる。一実施形態では、前記 ＨＲＬが表１に示したように、サービングＰＬＭＮ識別子、ｅｑｕｉｖａｌｅｎｔＰＬＭＮ識別子、制限又は許容されたＴＡコードのうちの少なくとも１つを含んで構成されることができる。ラジオアクセスポイント９２０は前記メッセージに含まれた情報の全体又は一部を記憶することができる。各情報はラジオアクセスポイント９２０の無線リソース管理(Ｒａｄｉｏ Ｒｅｓｏｕｒｃｅ Ｍａｎａｇｅｍｅｎｔ、ＲＲＭ)、アクセス制御(ａｃｃｅｓｓ ｃｏｎｔｒｏｌ)などに用いられることができる。例えば、ラジオアクセスポイント９２０が閉まった加入者グループ(Ｃｌｏｓｅｄ Ｓｕｂｓｃｒｉｂｅｒ Ｇｒｏｕｐ)ラジオアクセスポイントの場合、ラジオアクセスポイント９２０はサービングＰＬＭＮを用いて当該端末９００がラジオアクセスポイントのリソースを用いることができるのか判断することができる。この時、追加的に前記メッセージにＣＳＧ識別子が含まれることができる。また、他の例で、ラジオアクセスポイント９２０はサービングＰＬＭＮをラジオアクセスポイントの間、若しくはＲＡＮ制御要素の過負荷、負荷均衡調節及び／又は公共警告メッセージ伝達に用いることができる。
【０１０３】
リクエストメッセージを受けたラジオアクセスポイント９２０は、リクエストメッセージに含まれた情報を記憶し、当該情報を端末９００に対する相互作用であるか否かを決定するのに用いることができる。
【０１０４】
リクエストメッセージを受けたラジオアクセスポイント９２０は、リクエストメッセージに含まれた情報の中にサポートすることができない項目があればリクエストを拒否することができる。例えば、ラジオアクセスポイント９２０がリクエストメッセージに含まれたＴＡ識別子をサポートしなければ、リクエストメッセージを拒否することができる。又は、例えば、ラジオアクセスポイント９２０がリクエストメッセージに含まれたｅｑｕｉｖａｌｅｎｔＰＬＭＮ識別子が用いられることができないと判断されると、ラジオアクセスポイント９２０はリクエストメッセージを拒否することができる。このように、リクエストメッセージに含まれたどんな情報でもラジオアクセスポイント９２０がサポートすることができない場合にリクエストメッセージは拒否されることができる。一実施形態で、リクエストメッセージを受けたラジオアクセスポイント９２０はリクエストメッセージがＨＲＬを含まない場合に、端末９００に対して接続制限が適用されないことと判断することができる。
【０１０５】
段階９７５でラジオアクセスポイント９２０はリクエストに対する応答メッセージを送信することができる。前記応答メッセージは状況によって受諾メッセージ又は拒否メッセージのうちの１つであることがある。この時、ラジオアクセスポイント９２０は応答メッセージにラジオアクセスポイント９２０内で端末９００と相互作用するようになるセルのＬＴＥ用ＣＧＩ 及びＰＣＩのうちの１以上を含ませることができる。拒否メッセージは適切な拒否原因(Ｃａｕｓｅ)を含むことができる。ラジオアクセスポイント９１０は受信したＣａｕｓｅ情報を追後移動性及び／又は副次的に用いるラジオアクセスポイント選択時に考慮したり隣り関係表を修正することに用いることができる。例えば、ラジオアクセスポイント９１０は受信したＣａｕｓｅ情報に基づいて隣り関係表で当該ラジオアクセスポイント９２０のセルに対して、例えば、ＮｏＳＣｅｌｌ項目(ａｔｔｒｉｂｕｔｅ)をチェックすることができる。本発明でＮｏＳＣｅｌｌ項目がチェックされたセルはＳＣｅｌｌで用いられないことを意味することができる。
【０１０６】
ラジオアクセスポイント９２０はラジオアクセスポイント９１０がリクエストしたセル(段階 ９７０で送信されたセル識別子に識別されるセル)と異なるセルを端末９００が副次的に用いるセルと指定して送信することができる。この場合、段階９７５で伝達するラジオアクセスポイント９２０のセル識別子は段階９７０で送信したセル識別子と相違することができる。上述した動作はリクエストされたラジオアクセスポイント９２０のセルに過負荷がかかった時、ラジオアクセスポイント９２０内の他のセルを勧める用途で用いられることができる。
【０１０７】
段階９８０で、応答メッセージが受諾メッセージの場合に、ラジオアクセスポイント９１０、９２０と端末９００はラジオアクセスポイント９２０を副次的に相互作用するラジオアクセスポイントで追加する作業ができる。この過程でラジオアクセスポイント９１０、９２０のうちの１つ以上は端末９００にＲＲＣＣｏｎｎｅｃｔｉｏｎＲｅｃｏｎｆｉｇｕｒａｔｉｏｎ メッセージでラジオアクセスポイント９２０を副次的に相互作用するラジオアクセスポイントで置く事にした決定を通知することができる。端末９００はこれに対する応答をし、ラジオアクセスポイント９２０でランダムアクセス(Ｒａｎｄｏｍ Ａｃｃｅｓｓ)過程を行うことができる。
【０１０８】
段階９９０からラジオアクセスポイント９１０、９２０のうちの１つ以上はＲＡＮ制御要素９３０にラジオアクセスポイント９２０追加事実を通知することができる。ＲＡＮ制御要素９３０は、ラジオアクセスポイント９１０、９２０のうちの少なくとも１つにＲＲＬを送信することができる。
【０１０９】
この時、ラジオアクセスポイント９１０がＲＲＬから受諾されないラジオアクセスポイントをＳＣｅｌｌで置こうとしたり、置くと、前記応答メッセージは拒否又は失敗メッセージであることができる。
【０１１０】
前記応答メッセージが拒否メッセージの場合に、前記答メッセージはＨＡＮＤＯＶＥＲ ＰＲＥＰＡＲＡＴＩＯＮ ＦＡＩＬＵＲＥメッセージであることができる。この場合、前記答メッセージは拒否又は失敗の原因に関する情報(ｃａｕｓｅ)、ｗｒｏｎｇ ｄａｔａ ｉｎｆｏｒｍａｔｉｏｎ などを含むことができる。
【０１１１】
上述した内容はＲＡＮ制御要素９３０がリソース管理する方式の１つの例と言える。
【０１１２】
前記実施形態でラジオアクセスポイント９１０はソースｅＮＢで、他のラジオアクセスポイント９２０はターゲットｅＮＢに命名されることができる。
【０１１３】
図７は、本発明の第６実施形態による無線リソース管理方法を示すフローチャートである。
【０１１４】
第６実施形態によれば、ラジオアクセスポイント１０００、１０１０はラジオアクセスポイント１０００、１０１０の間のインターフェースを介して互いに相手が副次的なラジオアクセスポイントで用いられることができるかを通知することができる。前記インターフェースの例としてはＸ２ＡＰ、ＮＢＡＰが挙げられる。第６実施形態によれば、Ｘ２ＡＰ又はＮＢＡＰを介して取り交わすメッセージには予めラジオアクセスポイント１０００、１０１０の間の有用な情報を含むことができるから、簡単な情報を追加することによって、無線リソース管理ができるというメリットがある。
【０１１５】
段階１０２０からラジオアクセスポイント１０００はラジオアクセスポイント１０１０に当該ラジオアクセスポイントを副次的に用いることができるのか通知する情報を送信することができる。この情報は、情報を送信するラジオアクセスポイントが情報を受けるラジオアクセスポイントの副次的なラジオアクセスポイントで用いられることができるという情報を意味することもでき、情報を受けるラジオアクセスポイントが送信するラジオアクセスポイントの副次的なラジオアクセスポイントで用いられることができるという情報を意味することもできる。さらに、前述したラジオアクセスポイントがセルを意味することもできると説明したように、前記情報が基地局よりさらに低いレベルの無線リソースに対する情報であることができることは自明である。
【０１１６】
前記情報はインジケーターで表現されることができる。また前記情報はＸ２ ＳＥＴＵＰ ＲＥＱＵＥＳＴ、ｅＮＢ ＣＯＮＦＩＧＵＲＡＴＩＯＮ ＵＰＤＡＴＥのうちの少なくとも１つのメッセージを介して伝達することができる。
【０１１７】
ラジオアクセスポイント１０００はラジオアクセスポイント１０１０のＰＬＭＮ識別子、ｅＰＬＭＮ識別子、ＴＡコード、ＴＡ識別子、ＲＡＴ名、ＭＭＥコード、ＭＭＥグループ識別子、物理的セル識別子(Ｐｈｙｓｉｃａｌ Ｃｅｌｌ Ｉｄｅｎｔｉｔｙ、ＰＣＩ)範囲、ＨＲＬ、ＲＲＬのうちの１つ以上を考慮して前記情報を設定することができる。
【０１１８】
段階１０３０からラジオアクセスポイント１０１０はラジオアクセスポイント１０００に当該のラジオアクセスポイントを副次的に用いることができるのか通知する情報を送信することができる。段階１０２０で送信された情報と類似の情報がこの段階で伝達することができる。この段階で送信される情報はＸ２ ＳＥＴＵＰ ＲＥＳＰＯＮＳＥ、ｅＮＢ ＣＯＮＦＩＧＵＲＡＴＩＯＮ ＵＰＤＡＴＥ ＡＣＫＮＯＷＬＥＤＧＥメッセージのうちの少なくとも１つのメッセージを介して伝達することができる。
【０１１９】
１つのラジオアクセスポイント１０００が他のラジオアクセスポイント１０１０を副次的なラジオアクセスポイントで用いることができなければ(反対の場合、ある場合)、他のラジオアクセスポイント１０１０もラジオアクセスポイント１０００を副次的なラジオアクセスポイントで用いることができないことで(反対の場合、あることで)ラジオアクセスポイントの副次的使用原則が決まれば、段階１０２０で伝達する情報と段階１０３０で伝達する情報のうちで１つは省略されることができる。
【０１２０】
図８は、本発明の第７実施形態による無線リソース管理方法を示すフローチャートである。
【０１２１】
具体的に、第７実施形態で、ラジオアクセスポイント１１１０は端末１１００及び／又は他のラジオアクセスポイントから受けた情報を用いてＡＮＲ(Ａｕｔｏｍａｔｉｃ Ｎｅｉｇｈｂｏｒ Ｒｅｌａｔｉｏｎ)を適当に設定して無線リソースを管理することができる。
【０１２２】
ラジオアクセスポイント１１１０はＡＮＲ機能を保有することができる。ＡＮＲはラジオアクセスポイント１１１０がＮＲＴ(Ｎｅｉｇｈｂｏｒ Ｒｅｌａｔｉｏｎ Ｔａｂｌｅ)を管理するようにできる。ラジオアクセスポイント１１１０はＮＲＴに副次的ラジオアクセスポイント使用に対する情報を追加することができる。例えば、ラジオアクセスポイント１１１０はＮＲＴにＮｏ ＳＣｅｌｌのような項目を追加し、Ｎｏ ＳＣｅｌｌ項目にチェックされたセルはラジオアクセスポイント１１１０の副次的なラジオアクセスポイントで用いられないようにできる。
【０１２３】
前記に例えたようにＮＲＴにＮｏ ＳＣｅｌｌ項目が追加された場合、ラジオアクセスポイント１１１０で管理される隣り関係表(Ｎｅｉｇｈｂｏｒ Ｒｅｌａｔｉｏｎ Ｔａｂｌｅ)の可能な例を表４に示す。下記の表４は、ＮＲＴに新しい項目が追加された場合の例を示す。
【０１２４】
【表４】
2016509431.tif 000006
【０１２５】
段階１１２０でラジオアクセスポイント１１１０は、端末１１００から隣接ラジオアクセスポイントに対する情報を受け、当該の隣接ラジオアクセスポイントが予め認知することができなかったラジオアクセスポイントであれば端末１１００に追加的な情報をさらに判読することを指示して追加的な情報を受けることができる。
【０１２６】
段階１１３０でラジオアクセスポイント１１１０はＮＲＴを適切に編集することができる。ＮＲＴを編集するとき、ラジオアクセスポイント１１１０は情報が提供されたラジオアクセスポイントのＰＬＭＮ識別子、ｅＰＬＭＮ識別子、ＴＡコード、ＴＡ識別子、ＲＡＴ識別子、ＭＭＥコード、ＭＭＥグループ識別子、物理的セル識別子(Ｐｈｙｓｉｃａｌ Ｃｅｌｌ Ｉｄｅｎｔｉｔｙ、ＰＣＩ)範囲、ＨＲＬ、ＲＲＬのうちの１つ以上を考慮して編集を行うことができる。例えば、ラジオアクセスポイント１１１０はＨＲＬで制限する領域に属するセルの Ｎｏ ＳＣｅｌｌ 項目にチェック表示ができる。前記Ｎｏ ＳＣｅｌｌ項目チェックするか否かは本発明の他の実施形態(第５実施形態)で示されたように、他のラジオアクセスポイントとの情報交換を介して決定されることができ、また、ＯＡＭによって設定される情報を介して決定されることができる。
【０１２７】
図１２は、本発明の第８実施形態による無線リソース管理方法を示すフローチャートである。
【０１２８】
具体的に、第８実施形態で、ラジオアクセスポイント１２００は、ラジオアクセスポイント１２００が主にサービングする端末に対する新しいリソース管理情報を受信すれば、受信された新しいリソース管理情報に基づいて端末を副次的にサービングするラジオアクセスポイント１２１０に対する設定を変更することができる。
【０１２９】
段階１２５０でラジオアクセスポイント１２００はラジオアクセスポイント１２００に属したセルが主にサービングする端末に対するリソース管理情報を受信することができる。ここでリソース管理情報はＨＲＬを意味することができる。図１２にはラジオアクセスポイント１２００がＲＡＮ制御要素１２２０からリソース管理情報を受信することに示したが、ＲＡＮ制御要素１２２０は他のネットワーク要素(例えば、ＯＡＭ、又は第３ラジオアクセスポイント)であることがある。前記リソース管理情報を伝達するメッセージの例として、Ｓ１:ＩＮＩＴＩＡＬ ＣＯＮＴＥＸＴ ＳＥＴＵＰ ＲＥＱＵＥＳＴ メッセージ、Ｓ１:ＨＡＮＤＯＶＥＲ ＲＥＱＵＥＳＴメッセージ、Ｓ１:ＤＯＷＮＬＩＮＫ ＮＡＳ ＴＲＡＮＳＰＯＲＴメッセージ、Ｘ２:ＨＡＮＤＯＶＥＲ ＲＥＱＵＥＳＴメッセージを挙げることができる。ラジオアクセスポイント１２００は前記リソース管理情報を記憶することができる。予めリソース管理情報がある場合には、ラジオアクセスポイント１２００は予めあったリソース管理情報を新たに受けたリソース管理情報で入れ替ることができる。
【０１３０】
前記段階で受信したリソース管理情報が既存にラジオアクセスポイント１２００が行ったローミング及び地域制限メカニズムに変化を加える場合、予め端末を副次的にサービングしたラジオアクセスポイント１２１０を解除しなければならない必要があり得る。例えば、既存に端末を副次的にサービングしたラジオアクセスポイント１２１０のセルは前記端末に受諾される領域に属したが、前記端末を主にサービングするラジオアクセスポイント１２００が新たに前記端末に対するリソース管理情報を受信して確認した結果、前記ラジオアクセスポイント１２１０のセルがこれ以上端末に受諾される領域に属しない場合、ラジオアクセスポイント１２１０と端末の接続を解除しなければならない必要がある。
【０１３１】
段階１２６０からラジオアクセスポイント１２００は、これ以上の受諾されない領域に属したラジオアクセスポイントに対して、ＳＣｅｌｌとしての役目を解除することをリクエスト又はコマンドするメッセージを送信することができる。前記メッセージは例えば、ＳＣＥＬＬ ＲＥＬＥＡＳＥ ＲＥＱＵＥＳＴ又はＳＣＥＬＬ ＲＥＬＥＡＳＥ ＣＯＭＭＡＮＤと名付けられることができる。前記メッセージは解除原因(Ｃａｕｓｅ)を含むことができる。前記Ｃａｕｓｅはローミング及び地域制限によって解除されることを意味する内容を含まれることができる。ラジオアクセスポイント１２１０は段階１２７０を介して解除が成功的に成ることをラジオアクセスポイント１２００に通知することができる。
【０１３２】
本発明の多様な実施形態で、ラジオアクセスポイント１２００は端末にラジオアクセスポイント１２１０に属したセルがこれ以上の端末を副次的にサービングしないように通知する又は設定するメッセージを送信することができる。前記メッセージはＲＲＣＣｏｎｎｅｃｔｉｏｎＲｅｃｏｎｆｉｇｕｒａｔｉｏｎメッセージであることができる。端末は前記ラジオアクセスポイント１２１０のセルに対するＳＣｅｌｌ解除を行って応答メッセージ(例えば、ＲＲＣＣｏｎｎｅｃｔｉｏｎＲｅｃｏｎｆｉｇｕｒａｔｉｏｎＣｏｍｐｌｅｔｅメッセージ)を送信することができる。
【０１３３】
図９は、本発明によるＲＡＮ管理要素の構成を示すブロック図である。
【０１３４】
図９を参照すれば、本発明によるＲＡＮ管理要素６００は通信部６１０、制御部６２０及び記憶部６３０を含んで構成されることができる。
【０１３５】
通信部６１０は外部とデータ通信を行う。
【０１３６】
制御部６２０は本発明の実施形態によって無線リソースを管理するための情報を含むリソース制限情報(Ｒｅｓｏｕｒｃｅ Ｒｅｓｔｒｉｃｔｉｏｎ Ｌｉｓｔ；ＲＲＬ)を生成し、リソース制限情報をラジオアクセスポイントで送信するように通信部６１０を制御する。この時、リソース制限情報は端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ−Ｐｏｉｎｔ ｔｒａｎｓｍｉｓｓｉｏｎ ａｎｄ ｒｅｃｅｐｔｉｏｎ)で用いられるリソースのうちの少なくとも１つを制限又は受諾するための情報を含む。また、リソース制限情報は、ＰＬＭＮ識別子、無線接続技術(Ｒａｄｉｏ Ａｃｃｅｓｓ Ｔｅｃｈｎｏｌｏｇｙ；ＲＡＴ)名、トラッキング地域(Ｔｒａｃｋｉｎｇ Ａｒｅａ；ＴＡ)識別子、ルーティング地域(Ｒｏｏｔｉｎｇ Ａｒｅａ；ＲＡ)識別子、周波数帯域、共有網地域(Ｓｈａｒｅｄ Ｎｅｔｗｏｒｋ Ａｒｅａ；ＳＮＡ)コード、ＭＭＥ コード、ＭＭＥ グループ識別子、セルグローバル識別子(Ｃｅｌｌ Ｇｌｏｂａｌ ｉｄｅｎｔｉｆｉｅｒ；ＣＧＩ)、中央集中型スケジューリングユニット(Ｃｅｎｔｒａｌ Ｓｃｈｅｄｕｌｉｎｇ Ｕｎｉｔ；ＣＳＵ)識別子、向上したサービングモバイル位置センター(Ｅｎｈａｎｃｅｄ Ｓｅｒｖｉｎｇ Ｍｏｂｉｌｅ Ｌｏｃａｔｉｏｎ Ｃｅｎｔｅｒ；Ｅ-ＳＭＬＣ)識別子、位置測定ユニット(Ｌｏａｃｔｉｏｎ Ｍｅａｓｕｒｅｍｅｎｔ Ｕｎｉｔ；ＬＭＵ)識別子のうちの少なくとも１つを含む。
【０１３７】
制御部６２０は受信されたＲＲＬ又はＲＲＬを加工して生成された情報を記憶部６３０に記憶することができる。
【０１３８】
制御部６２０は受信されたＲＲＬ又はＲＲＬを加工して生成された情報をラジオアクセスポイントで送信するように通信部６１０を制御することができる。
【０１３９】
制御部６２０は上述した本発明の実施形態に関する動作を行うためにＲＡＮ管理要素６００の各構成要素を制御することができる。
【０１４０】
図１０は、本発明によるラジオアクセスポイントの構成を示すブロック図である。
【０１４１】
図１０を参照すればラジオアクセスポイント７００は通信部７１０、制御部７２０及び記憶部７３０を含んで構成されることができる。
【０１４２】
通信部７１０は外部とデータ通信を行う。通信部７１０はＲＡＮ制御要素及び他のラジオアクセスポイントのうちの１つ以上から前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信することができる。
【０１４３】
リソース制限情報は端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ−Ｐｏｉｎｔ ｔｒａｎｓｍｉｓｓｉｏｎ ａｎｄ ｒｅｃｅｐｔｉｏｎ)で用いられるリソースのうちの少なくとも１つを制限又は受諾するための情報を含む。また、リソース制限情報は、ＰＬＭＮ識別子、無線接続技術(Ｒａｄｉｏ Ａｃｃｅｓｓ Ｔｅｃｈｎｏｌｏｇｙ；ＲＡＴ)名、トラッキング地域(Ｔｒａｃｋｉｎｇ Ａｒｅａ；ＴＡ)識別子、ルーティング地域(Ｒｏｏｔｉｎｇ Ａｒｅａ；ＲＡ)識別子、周波数帯域、共有網地域(Ｓｈａｒｅｄ Ｎｅｔｗｏｒｋ Ａｒｅａ；ＳＮＡ)コード、ＭＭＥ コード、ＭＭＥグループ識別子、セルグローバル識別子(Ｃｅｌｌ Ｇｌｏｂａｌ ｉｄｅｎｔｉｆｉｅｒ；ＣＧＩ)、中央集中型スケジューリングユニット(Ｃｅｎｔｒａｌ Ｓｃｈｅｄｕｌｉｎｇ Ｕｎｉｔ；ＣＳＵ)識別子、向上したサービングモバイル位置センター(Ｅｎｈａｎｃｅｄ Ｓｅｒｖｉｎｇ Ｍｏｂｉｌｅ Ｌｏｃａｔｉｏｎ Ｃｅｎｔｅｒ；Ｅ-ＳＭＬＣ)識別子、位置測定ユニット(Ｌｏａｃｔｉｏｎ Ｍｅａｓｕｒｅｍｅｎｔ Ｕｎｉｔ；ＬＭＵ)識別子のうちの少なくとも１つを含む。
【０１４４】
制御部７２０は受信されたリソース制限情報に基づいて、端末に対するリソース管理を行う。具体的に、制御部７２０はリソース制限情報に含まれたリソースを介して端末がデータ通信を行わないようにリソース管理を行うことができる。
【０１４５】
制御部７２０は受信されたリソース制限情報又はリソース制限情報を加工して生成された情報を記憶部７３０に記憶することができる。
【０１４６】
また、制御部７２０は受信されたリソース制限情報又はこれを加工した情報を他のラジオアクセスポイント又は端末へ送信するように通信部７１０を制御することができる。
【０１４７】
制御部７２０は上述した本発明の実施形態に関する動作を行うためにラジオアクセスポイント７００の各構成要素を制御することができる。
【０１４８】
図１１は、本発明による端末の構成を示すブロック図である。
【０１４９】
図１１を参照すれば、端末８００は通信部８１０、制御部８２０及び記憶部８３０を含んで構成されることができる。
【０１５０】
通信部８１０は外部とデータ通信を行う。通信部８１０は、ラジオアクセスポイントから前記無線リソースを管理するための情報を含むリソース制限情報(Ｒｅｓｏｕｒｃｅ Ｒｅｓｔｒｉｃｔｉｏｎ Ｌｉｓｔ；ＲＲＬ)を受信する。リソース制限情報は端末のキャリアアグリゲーション(Ｃａｒｒｉｅｒ Ａｇｇｒｅｇａｔｉｏｎ)で用いられるリソース及びＣｏＭＰ(Ｃｏｏｒｄｉｎａｔｅｄ Ｍｕｌｔｉ−Ｐｏｉｎｔ ｔｒａｎｓｍｉｓｓｉｏｎ ａｎｄ ｒｅｃｅｐｔｉｏｎ)で用いられるリソースのうちの少なくとも１つを制限又は受諾するための情報を含む。また、リソース制限情報は、ＰＬＭＮ識別子、無線接続技術(Ｒａｄｉｏ Ａｃｃｅｓｓ Ｔｅｃｈｎｏｌｏｇｙ；ＲＡＴ)名、トラッキング地域(Ｔｒａｃｋｉｎｇ Ａｒｅａ；ＴＡ)識別子、ルーティング地域(Ｒｏｏｔｉｎｇ Ａｒｅａ；ＲＡ)識別子、周波数帯域、共有網地域(Ｓｈａｒｅｄ Ｎｅｔｗｏｒｋ Ａｒｅａ；ＳＮＡ)コード、ＭＭＥコード、ＭＭＥグループ識別子、セルグローバル識別子(Ｃｅｌｌ Ｇｌｏｂａｌ ｉｄｅｎｔｉｆｉｅｒ；ＣＧＩ)、中央集中型スケジューリングユニット(Ｃｅｎｔｒａｌ Ｓｃｈｅｄｕｌｉｎｇ Ｕｎｉｔ；ＣＳＵ)識別子、向上したサービングモバイル位置センター(Ｅｎｈａｎｃｅｄ Ｓｅｒｖｉｎｇ Ｍｏｂｉｌｅ Ｌｏｃａｔｉｏｎ Ｃｅｎｔｅｒ；Ｅ-ＳＭＬＣ)識別子、位置測定ユニット(Ｌｏａｃｔｉｏｎ Ｍｅａｓｕｒｅｍｅｎｔ Ｕｎｉｔ；ＬＭＵ)識別子のうちの少なくとも１つを含む。
【０１５１】
制御部８２０は受信されたリソース制限情報を用いて端末８００のリソース管理を行う。具体的に、制御部８２０はリソース制限情報に含まれたリソースを介してデータ通信を行わないようにリソース管理を行うことができる。特に、制御部８２０はリソース制限情報に含まれたリソースに対する内容の全体又は一部をＭｅａｓｕｒｅｍｅｎｔ Ｒｅｐｏｒｔに含まれないようにリソース管理を行うことができる。
【０１５２】
制御部８２０は受信されたリソース制限情報又はリソース制限情報を加工して生成された情報を記憶部８３０に記憶することができる。
【０１５３】
また、制御部８２０は受信されたリソース制限情報又はこれを加工した情報をラジオアクセスポイントで送信するように通信部８１０を制御することができる。
【０１５４】
制御部８２０は上述した本発明の実施形態に関する動作を行うために端末８００の各構成要素を制御することができる。
【０１５５】
上述した実施形態で、すべての段階は選択的に遂行の対象となるとか省略の対象となることができる。また、各実施形態で段階は必ず順に起きる必要はなく後先になることができる。
【０１５６】
一方、本明細書及び図面に開示された本発明の実施形態は本発明の記述内容を容易に説明して、本発明の理解を助けるために特定例を提示したものであって、本発明の範囲を限定しようとするものではない。すなわち、本発明の技術的思想に基づいた他の変形例が実施可能であるということは本発明が属する技術分野で通常の知識を有する者に自明なものである。
【符号の説明】
【０１５７】
１００  端末
１１０  無線インターフェース
１２０  ラジオアクセスポイント
２００  端末
２１０  ラジオアクセスポイント
２２０  制御要素
２３０  サーバー
【図１】
2016509431.tif 000007
【図２】
2016509431.tif 000008
【図３】
2016509431.tif 000009
【図４】
2016509431.tif 000010
【図５】
2016509431.tif 000011
【図６】
2016509431.tif 000012
【図７】
2016509431.tif 000013
【図８】
2016509431.tif 000014
【図９】
2016509431.tif 000015
【図１０】
2016509431.tif 000016
【図１１】
2016509431.tif 000017
【図１２】
2016509431.tif 000018
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
無線通信システムで多重接続（ｄｕａｌ  ｃｏｎｎｅｃｔｉｖｉｔｙ）のために第１基地局で第２基地局を追加する方法において、
端末に対するアクセス制限情報に基づいて第２基地局を選択する段階と、
サービングＰＬＭＮ（ｐｕｂｌｉｃ  ｌａｎｄ  ｍｏｂｉｌｅ  ｎｅｔｗｏｒｋ）識別子を含むリクエストメッセージを前記選択された第２基地局に送信する段階と、  及び
前記リクエストメッセージに対応する応答メッセージを前記選択された第２基地局から受信する段階を含み、
前記サービングＰＬＭＮ識別子は、前記選択された第２基地局の無線リソース管理（ｒａｄｉｏ  ｒｅｓｏｕｒｃｅ  ｍａｎａｇｅｍｅｎｔ；  ＲＲＭ）のために用いられることを特徴とする基地局追加方法。
【請求項２】
前記リクエストメッセージは、ＳｅＮＢ  ＡＤＤＩＴＩＯＮ  ＲＥＱＵＥＳＴメッセージを含み、前記応答メッセージはＳｅＮＢ  ＡＤＤＩＴＩＯＮ  ＡＣＫＮＯＷＬＥＤＧＥメッセージを含むことを特徴とする、請求項１に記載の基地局追加方法。
【請求項３】
前記アクセス制限情報はハンドオーバー制限リスト（ＨＲＬ）を含むことを特徴とする、請求項１に記載の基地局追加方法。
【請求項４】
前記第１基地局は、ＭｅＮＢ（Ｍａｓｔｅｒ  ｅｖｏｌｖｅｄ  Ｎｏｄｅ  Ｂ）を含み、
前記第２基地局はＳｅＮＢ（Ｓｅｃｏｎｄａｒｙ  ｅｖｏｌｖｅｄ  Ｎｏｄｅ  Ｂ）を含むこと
を特徴とする、請求項１に記載の基地局追加方法。
【請求項５】
前記端末から測定報告を受信する段階をさらに含み、
前記第２基地局は前記測定報告をさらに考慮して選択されることを特徴とする、請求項１に記載の基地局追加方法。
【請求項６】
前記受信した応答メッセージが拒否の理由を含む拒否メッセージであれば、前記拒否の理由に基づいて隣り関係表（ｎｅｉｇｈｂｏｒ  ｒｅｌａｔｉｏｎ  ｔａｂｌｅ；  ＮＲＴ）を修正する段階をさらに含むことを特徴とする、請求項１に記載の基地局追加方法。
【請求項７】
無線通信システムで多重接続（ｄｕａｌ  ｃｏｎｎｅｃｔｉｖｉｔｙ）のために第２基地局が第１基地局と接続する方法において、
サービングＰＬＭＮ（ｐｕｂｌｉｃ  ｌａｎｄ  ｍｏｂｉｌｅ  ｎｅｔｗｏｒｋ）識別子を含むリクエストメッセージを前記第１基地局から受信する段階と、及び
前記リクエストメッセージに対応する応答メッセージを前記第１基地局へ送信する段階と、を含み、
前記第２基地局は端末に対するアクセス制限情報に基づいて選択され、
前記サービングＰＬＭＮ識別子は、前記第２基地局の無線リソース管理（ｒａｄｉｏ  ｒｅｓｏｕｒｃｅ  ｍａｎａｇｅｍｅｎｔ；  ＲＲＭ）のために用いられることを特徴とする、基地局接続方法。
【請求項８】
前記リクエストメッセージは、ＳｅＮＢ  ＡＤＤＩＴＩＯＮ  ＲＥＱＵＥＳＴメッセージを含み、
前記応答メッセージは、ＳｅＮＢ  ＡＤＤＩＴＩＯＮ  ＡＣＫＮＯＷＬＥＤＧＥメッセージを含み、
前記アクセス制限情報はハンドオーバー制限リスト（ＨＲＬ）を含むことを特徴とする、請求項７に記載の基地局接続方法。
【請求項９】
前記第１基地局は、ＭｅＮＢ（Ｍａｓｔｅｒ  ｅｖｏｌｖｅｄ  Ｎｏｄｅ  Ｂ）を含み、
前記第２基地局はＳｅＮＢ（Ｓｅｃｏｎｄａｒｙ  ｅｖｏｌｖｅｄ  Ｎｏｄｅ  Ｂ）を含むことを特徴とする、請求項７に記載の基地局接続方法。
【請求項１０】
前記応答メッセージは前記第２基地局によって選択された少なくとも１つのサービングＰＬＭＮ識別子及び前記少なくとも１つのサービングＰＬＭＮ識別子に対応する負荷状態を含むことを特徴とする、請求項７に記載の基地局接続方法。
【請求項１１】
無線通信システムで多重接続（ｄｕａｌ  ｃｏｎｎｅｃｔｉｖｉｔｙ）のための第１基地局において、
データを送受信する通信部及び、
端末に対するアクセス制限情報に基づいて第２基地局を選択し、  サービングＰＬＭＮ（ｐｕｂｌｉｃ  ｌａｎｄ  ｍｏｂｉｌｅ  ｎｅｔｗｏｒｋ）識別子を含むリクエストメッセージを前記選択された第２基地局に送信し、前記リクエストメッセージに対応する応答メッセージを前記選択された第２基地局から受信するように制御する制御部を含み、
前記サービングＰＬＭＮ識別子は、前記選択された第２基地局の無線リソース管理（ｒａｄｉｏ  ｒｅｓｏｕｒｃｅ  ｍａｎａｇｅｍｅｎｔ；  ＲＲＭ）のために用いられることを特徴とする第１基地局。
【請求項１２】
前記リクエストメッセージは、ＳｅＮＢ  ＡＤＤＩＴＩＯＮ  ＲＥＱＵＥＳＴメッセージを含み、
前記応答メッセージは、ＳｅＮＢ  ＡＤＤＩＴＩＯＮ  ＡＣＫＮＯＷＬＥＤＧＥメッセージを含むことを特徴とする、請求項１１に記載の第１基地局。
【請求項１３】
前記アクセス制限情報はハンドオーバー制限リスト（ＨＲＬ）を含むことを特徴とする、請求項１１に記載の第１基地局。
【請求項１４】
前記第１基地局は、ＭｅＮＢ（Ｍａｓｔｅｒ  ｅｖｏｌｖｅｄ  Ｎｏｄｅ  Ｂ）を含み、        
前記第２基地局はＳｅＮＢ（Ｓｅｃｏｎｄａｒｙ  ｅｖｏｌｖｅｄ  Ｎｏｄｅ  Ｂ）を含むことを特徴とする、請求項１１に記載の第１基地局。
【請求項１５】
前記通信部が前記端末から測定報告を受信すると、前記制御部は前記受信した測定報告をさらに考慮して第２基地局を選択することを特徴とする、請求項１１に記載の第１基地局。
【請求項１６】
前記受信した応答メッセージが拒否の理由を含む拒否メッセージであれば、前記制御部は前記拒否の理由に基づいて隣り関係表（ｎｅｉｇｈｂｏｒ  ｒｅｌａｔｉｏｎ  ｔａｂｌｅ；  ＮＲＴ）を修正することを特徴とする、請求項１１に記載の第１基地局。
【請求項１７】
無線通信システムで多重接続（ｄｕａｌ  ｃｏｎｎｅｃｔｉｖｉｔｙ）のための第２基地局において、
データを送受信する通信部及び、
サービングＰＬＭＮ（ｐｕｂｌｉｃ  ｌａｎｄ  ｍｏｂｉｌｅ  ｎｅｔｗｏｒｋ）識別子を含むリクエストメッセージを第１基地局から受信し、前記リクエストメッセージに対応する応答メッセージを前記第１基地局へ送信するように制御する制御部を含み、
前記第２基地局は端末に対するアクセス制限情報に基づいて選択され、
前記サービングＰＬＭＮ識別子は前記第２基地局の無線リソース管理（ｒａｄｉｏ  ｒｅｓｏｕｒｃｅ  ｍａｎａｇｅｍｅｎｔ；ＲＲＭ）のために用いられることを特徴とする、第２基地局。
【請求項１８】
前記リクエストメッセージは、ＳｅＮＢ  ＡＤＤＩＴＩＯＮ  ＲＥＱＵＥＳＴメッセージを含み、
前記応答メッセージはＳｅＮＢ  ＡＤＤＩＴＩＯＮ  ＡＣＫＮＯＷＬＥＤＧＥメッセージを含み、
前記アクセス制限情報はハンドオーバー制限リスト（ＨＲＬ）を含むことを特徴とする、請求項１７に記載の第２基地局。
【請求項１９】
前記第１基地局は、ＭｅＮＢ（Ｍａｓｔｅｒ  ｅｖｏｌｖｅｄ  Ｎｏｄｅ  Ｂ）を含み、
前記第２基地局は、ＳｅＮＢ（Ｓｅｃｏｎｄａｒｙ  ｅｖｏｌｖｅｄ  Ｎｏｄｅ  Ｂ）を含むことを特徴とする、請求項１７に記載の第２基地局。
【請求項２０】
前記応答メッセージは、前記第２基地局によって選択された少なくとも１つのサービングＰＬＭＮ識別子及び前記少なくとも１つのサービングＰＬＭＮ識別子に対応する負荷状態を含むことを特徴とする、請求項１７に記載の第２基地局。
【国際調査報告】
2016509431.tif 000019
2016509431.tif 000020
2016509431.tif 000021